(57)【要約】  データ伝送方法、送信デバイスおよび受信デバイスを開示する。方法は、複数のビームを含む無線通信システムに適用可能であり、送信デバイスが、データを受信デバイスへ送信するために使用される少なくとも１つの送信ビームおよびビームインジケーション情報を決定する段階と、送信デバイスが、ビームインジケーション情報を受信デバイスへ送信する段階と、送信デバイスが、少なくとも１つの送信ビームを使用することによってデータを送信する段階とを備える。送信デバイスは、送信デバイスによって送信されるデータを受信するために使用される対応する受信ビームを受信デバイスに示すために、ビームインジケーション情報を送信し、その結果、受信デバイスは、データを受信するために好適な受信ビームを選択でき、それにより、受信の信号対干渉＋雑音比を改善する。
2020503772.tif 000002
【特許請求の範囲】
【請求項１】
データ伝送の方法であって、
前記方法は、複数のビームを含む無線通信システムに適用可能であり、
送信デバイスが、データを受信デバイスへ送信するために使用される少なくとも１つの送信ビームおよびビームインジケーション情報を決定する段階と、
前記送信デバイスが、前記ビームインジケーション情報を前記受信デバイスへ送信する段階と、
前記送信デバイスが、前記少なくとも１つの送信ビームを使用することによって前記データを送信する段階と
を備える方法。
【請求項２】
前記ビームインジケーション情報は、前記データを受信するために使用される各受信ビームを前記受信デバイスに示す、請求項１に記載の方法。
【請求項３】
前記ビームインジケーション情報は、各受信ビームについての情報、または、各送信ビームについての情報を含む、請求項２に記載の方法。
【請求項４】
前記送信デバイスが、前記ビームインジケーション情報を前記受信デバイスへ送信する前記段階は、
前記送信デバイスが、準コロケーションＱＣＬ情報を前記受信デバイスへ送信する段階
を含む、請求項１から３のいずれか一項に記載の方法。
【請求項５】
送信デバイスがビームインジケーション情報を決定する前記段階の後に、前記方法は更に、
前記送信デバイスが、前記送信ビームおよび／または前記受信ビームとトランスポート層との間の対応関係を決定する段階を備え、
前記送信デバイスが前記ビームインジケーション情報を前記受信デバイスへ送信する前記段階は、
前記送信デバイスが、前記ビームインジケーション情報、および、前記送信ビームおよび／または前記受信ビームとトランスポート層との間の前記対応関係を前記受信デバイスへ送信する段階を含む、
請求項１から４のいずれか一項に記載の方法。
【請求項６】
前記送信デバイスが、前記送信ビームおよび／または前記受信ビームとトランスポート層との間の対応関係を決定する前記段階は、
前記送信デバイスが、前記送信ビームおよび／または前記受信ビームとコードワードとの間の対応関係を決定する段階と、
前記送信デバイスが、前記コードワードと前記トランスポート層との間のマッピング関係を決定する段階と
を含み、
前記送信デバイスが、前記ビームインジケーション情報を前記受信デバイスへ送信する前記段階は、
前記送信デバイスが、前記ビームインジケーション情報、および、前記コードワードと前記トランスポート層との間の前記マッピング関係を前記受信デバイスへ送信する段階を含む、
請求項５に記載の方法。
【請求項７】
前記送信デバイスが、前記ビームインジケーション情報、および、前記コードワードと前記トランスポート層との間の前記マッピング関係を前記受信デバイスへ送信する前記段階は、
前記送信デバイスが、物理層インジケーションシグナリングを使用することによって、前記ビームインジケーション情報、および、前記コードワードと前記トランスポート層との間の前記マッピング関係を前記受信デバイスへ送信する段階を含み、
前記コードワードがマッピングされるトランスポート層の数を示すために、指定されたビット数の情報ビットが、前記物理層インジケーションシグナリングにおいて設定される、または、前記コードワードおよび前記トランスポート層のマッピングの組み合わせのインデックス値を示すために、特定の情報ビットが前記物理層インジケーションシグナリングにおいて設定される、請求項６に記載の方法。
【請求項８】
前記送信デバイスは、前記システムのトランスポート層の最大数に基づいて、前記指定されたビット数を決定する、または、
前記送信デバイスは、プロトコルにおいて規定される各コードワードのトランスポート層の最大数に基づいて、前記指定されたビット数を決定する、
請求項７に記載の方法。
【請求項９】
データ伝送の方法であって、
前記方法は、複数のビームを含む無線通信システムに適用可能であり、
受信デバイスが、送信デバイスからビームインジケーション情報を受信する段階と、
前記受信デバイスが、前記ビームインジケーション情報に従って、前記送信デバイスによって送信されるデータを受信するために使用される少なくとも１つの受信ビームを決定する段階と、
前記受信デバイスが、決定された前記少なくとも１つの受信ビームを使用することによって、前記送信デバイスによって送信される前記データを受信する段階と
を備える方法。
【請求項１０】
前記ビームインジケーション情報は、前記少なくとも１つの受信ビームについての情報を含み、
前記受信デバイスが、前記ビームインジケーション情報に従って、前記送信デバイスによって送信されるデータを受信するために使用される少なくとも１つの受信ビームを決定する前記段階は、
前記受信デバイスが、前記ビームインジケーション情報によって示される前記少なくとも１つの受信ビームについての前記情報に基づいて、前記送信デバイスによって送信される前記データを受信するために使用される前記少なくとも１つの受信ビームを決定する段階を含む、請求項９に記載の方法。
【請求項１１】
前記ビームインジケーション情報は、少なくとも１つの送信ビームについての情報を含み、
前記受信デバイスが前記ビームインジケーション情報に従って、前記送信デバイスによって送信されるデータを受信するために使用される少なくとも１つの受信ビームを決定する前記段階は、
前記受信デバイスが、前記ビームインジケーション情報によって示される前記少なくとも１つの送信ビームについての前記情報、および、送信ビームと受信ビームとの間の対応関係に基づいて、前記少なくとも１つの送信ビームについての前記情報に対応する少なくとも１つの受信ビームについての情報を決定する段階と、
前記受信デバイスが、前記少なくとも１つの送信ビームについての情報に対応する前記少なくとも１つの受信ビームについての前記情報に基づいて、前記送信デバイスによって送信される前記データを受信するために使用される前記少なくとも１つの受信ビームを決定する段階と
を含む、請求項９に記載の方法。
【請求項１２】
受信デバイスがビームインジケーション情報を送信デバイスから受信する前記段階は、
前記受信デバイスが、準コロケーションＱＣＬ情報を前記送信デバイスから受信する段階と、
前記受信デバイスが、前記ＱＣＬ情報と前記ビームインジケーション情報との間の対応関係に基づいて前記ビームインジケーション情報を決定する段階を含む、請求項９から１１のいずれか一項に記載の方法。
【請求項１３】
受信デバイスがビームインジケーション情報を送信デバイスから受信する前記段階は、
前記受信デバイスが、前記ビームインジケーション情報、および、送信ビームおよび／または受信ビームとトランスポート層との間の対応関係を前記送信デバイスから受信する段階を含み、
前記受信デバイスが前記ビームインジケーション情報に従って、前記送信デバイスによって送信されるデータを受信するために使用される少なくとも１つの受信ビームを決定する前記段階は、
前記受信デバイスが、前記ビームインジケーション情報、および、送信ビームおよび／または受信ビームとトランスポート層との間の前記対応関係に従って、前記送信デバイスによって送信される前記データを受信するために使用される前記少なくとも１つの受信ビーム、および、前記少なくとも１つの受信ビームによって受信される必要があるトランスポートストリームを決定する段階を含む、
請求項９から１２のいずれか一項に記載の方法。
【請求項１４】
受信デバイスが、ビームインジケーション情報を送信デバイスから受信する前記段階は、
前記受信デバイスが、前記ビームインジケーション情報、および、コードワードとトランスポート層との間のマッピング関係を前記送信デバイスから受信する段階を含み、
前記受信デバイスが、前記ビームインジケーション情報に従って、前記送信デバイスによって送信されるデータを受信するために使用される少なくとも１つの受信ビームを決定する前記段階は、
前記受信デバイスが、前記ビームインジケーション情報、および、前記コードワードと前記トランスポート層との間の前記マッピング関係に従って、前記送信デバイスによって送信される前記データを受信するために使用される前記少なくとも１つの受信ビーム、および、前記少なくとも１つの受信ビームによって受信される必要があるトランスポートストリームを決定する段階を含む、
請求項９から１２のいずれか一項に記載の方法。
【請求項１５】
前記受信デバイスが、前記ビームインジケーション情報、および、コードワードとトランスポート層との間のマッピング関係を前記送信デバイスから受信する前記段階は、
前記受信デバイスが、物理層インジケーションシグナリングを使用することによって、前記ビームインジケーション情報、および、前記コードワードと前記トランスポート層との間の前記マッピング関係を前記送信デバイスから受信する段階を含み、
前記コードワードがマッピングされるトランスポート層の数を示すために、指定されたビット数の情報ビットは、前記物理層インジケーションシグナリングにおいて設定される、または、前記コードワードおよび前記トランスポート層のマッピングの組み合わせのインデックス値を示すために、特定の情報ビットが前記物理層インジケーションシグナリングにおいて設定される、請求項１４に記載の方法。
【請求項１６】
前記受信デバイスが、前記システムのトランスポート層の最大数、および、前記指定されたビット数の前記情報ビットに基づいて、前記コードワードがマッピングされる前記トランスポート層の数を決定する段階、または、
前記受信デバイスが、前記指定されたビット数の前記情報ビットに基づいて、プロトコルにおいて規定された各コードワードのトランスポート層の最大数を決定する段階、または、
前記受信デバイスが、前記特定の情報ビットに基づいて、前記コードワードおよび前記トランスポート層の前記マッピングの組み合わせの前記インデックス値を決定する段階
を更に備える、請求項１５に記載の方法。
【請求項１７】
送信デバイスであって、前記デバイスは、複数のビームを含む無線通信システムに適用可能であり、
データを受信デバイスへ送信するために使用される少なくとも１つの送信ビーム、および、ビームインジケーション情報を決定するよう構成される処理ユニットと、
前記ビームインジケーション情報を前記受信デバイスへ送信するよう、および、前記少なくとも１つの送信ビームを使用することによって前記データを送信するよう構成される送受信ユニットと
を備える送信デバイス。
【請求項１８】
前記ビームインジケーション情報は、前記データを受信するために使用される各受信ビームを前記受信デバイスに示す、請求項１７に記載の送信デバイス。
【請求項１９】
前記ビームインジケーション情報は、各受信ビームについての情報、または、各送信ビームについての情報を含む、請求項１８に記載の送信デバイス。
【請求項２０】
前記送受信ユニットは具体的には、準コロケーションＱＣＬ情報を前記受信デバイスへ送信するよう構成される、請求項１７から１９のいずれか一項に記載の送信デバイス。
【請求項２１】
前記処理ユニットは更に、
前記ビームインジケーション情報を決定した後に、前記送信ビームおよび／または前記受信ビームとトランスポート層との間の対応関係を決定するよう構成され、
前記送受信ユニットは、具体的には、前記ビームインジケーション情報および前記対応関係を前記受信デバイスへ送信するよう構成される、
請求項１７から２０のいずれか一項に記載の送信デバイス。
【請求項２２】
前記処理ユニットは具体的には、
前記送信ビームおよび／または前記受信ビームとコードワードとの間の対応関係を決定し、
前記コードワードと前記トランスポート層との間のマッピング関係を決定するよう構成され、
前記送受信ユニットは具体的には、
前記ビームインジケーション情報および前記コードワードと前記トランスポート層との間の前記マッピング関係を前記受信デバイスへ送信するよう構成される、
請求項２１に記載の送信デバイス。
【請求項２３】
前記送受信ユニットは具体的には、
物理層インジケーションシグナリングを使用することによって、前記ビームインジケーション情報、および、前記コードワードと前記トランスポート層との間の前記マッピング関係を前記受信デバイスへ送信するよう構成され、
前記コードワードがマッピングされるトランスポート層の数を示すために、指定されたビット数の情報ビットが、前記物理層インジケーションシグナリングにおいて設定される、または、前記コードワードおよび前記トランスポート層のマッピングの組み合わせのインデックス値を示すために、特定の情報ビットが前記物理層インジケーションシグナリングにおいて設定される、
請求項２２に記載の送信デバイス。
【請求項２４】
前記処理ユニットは具体的には、
前記システムのトランスポート層の最大数に基づいて、前記指定されたビット数を決定する、または、
プロトコルにおいて規定される各コードワードのトランスポート層の最大数に基づいて、前記指定されたビット数を決定するよう構成される、請求項２３に記載の送信デバイス。
【請求項２５】
受信デバイスであって、前記デバイスは、複数のビームを含む無線通信システムに適用可能であり、
ビームインジケーション情報を送信デバイスから受信するよう構成される送受信ユニットと、
前記ビームインジケーション情報に従って、前記送信デバイスによって送信されるデータを受信するために使用される少なくとも１つの受信ビームを決定するよう構成される処理ユニットと
を備え、
前記送受信ユニットは更に、決定された前記少なくとも１つの受信ビームを使用することによって、前記送信デバイスによって送信される前記データを受信するよう構成される、
受信デバイス。
【請求項２６】
前記ビームインジケーション情報は、前記少なくとも１つの受信ビームについての情報を含み、
前記処理ユニットは具体的には、
前記ビームインジケーション情報によって示される前記少なくとも１つの受信ビームについての情報に基づいて、前記送信デバイスによって送信される前記データを受信するために使用される前記少なくとも１つの受信ビームを決定するよう構成される、請求項２５に記載の受信デバイス。
【請求項２７】
前記ビームインジケーション情報は、少なくとも１つの送信ビームについての情報を含み、
前記処理ユニットは具体的には、
前記ビームインジケーション情報によって示される前記少なくとも１つの送信ビームについての情報、および、送信ビームと受信ビームとの間の対応関係に基づいて、前記少なくとも１つの送信ビームについての情報に対応する少なくとも１つの受信ビームについての前記情報を決定するよう、ならびに、
前記少なくとも１つの送信ビームについての情報に対応する前記少なくとも１つの受信ビームについての情報に基づいて、前記送信デバイスによって送信される前記データを受信するために使用される前記少なくとも１つの受信ビームを決定するよう構成される、
請求項２５に記載の受信デバイス。
【請求項２８】
前記送受信ユニットは具体的には、
準コロケーションＱＣＬ情報を前記送信デバイスから受信し、
前記処理ユニットを使用することによって、前記ＱＣＬ情報と前記ビームインジケーション情報との間の対応関係に基づいて前記ビームインジケーション情報を決定するよう構成される、
請求項２５から２７のいずれか一項に記載の受信デバイス。
【請求項２９】
前記送受信ユニットは具体的には、
前記ビームインジケーション情報、および、送信ビームおよび／または受信ビームとトランスポート層との間の対応関係を前記送信デバイスから受信するよう構成され、
前記処理ユニットは具体的には、
前記ビームインジケーション情報、および、送信ビームおよび／または受信ビームとトランスポート層との間の前記対応関係に従って、前記送信デバイスによって送信される前記データを受信するために使用される前記少なくとも１つの受信ビーム、および、前記少なくとも１つの受信ビームによって受信される必要があるトランスポートストリームを決定するよう構成される、
請求項２５から２８のいずれか一項に記載の受信デバイス。
【請求項３０】
前記送受信ユニットは具体的には、
前記ビームインジケーション情報、および、コードワードとトランスポート層との間のマッピング関係を前記送信デバイスから受信するよう構成され、
前記処理ユニットは具体的には、
前記ビームインジケーション情報、および、前記コードワードと前記トランスポート層との間の前記マッピング関係に従って、前記送信デバイスによって送信される前記データを受信するために使用される前記少なくとも１つの受信ビーム、および、前記少なくとも１つの受信ビームによって受信される必要があるトランスポートストリームを決定するよう構成される、
請求項２５から２８のいずれか一項に記載の受信デバイス。
【請求項３１】
前記送受信ユニットは具体的には、
物理層インジケーションシグナリングを使用することによって、前記ビームインジケーション情報、および、前記コードワードと前記トランスポート層との間の前記マッピング関係を前記送信デバイスから受信するよう構成され、
前記コードワードがマッピングされるトランスポート層の数を示すために、指定されたビット数の情報ビットが前記物理層インジケーションシグナリングにおいて設定される、または、前記コードワードおよび前記トランスポート層のマッピングの組み合わせのインデックス値を示すために、特定の情報ビットが前記物理層インジケーションシグナリングにおいて設定される、
請求項３０に記載の受信デバイス。
【請求項３２】
前記処理ユニットは更に、
前記システムのトランスポート層の最大数、および、前記指定されたビット数の前記情報ビットに基づいて、前記コードワードがマッピングされるトランスポート層の数を決定する、または、
前記指定されたビット数の前記情報ビットに基づいて、プロトコルにおいて規定される各コードワードのトランスポート層の最大数を決定する、または、
前記特定の情報ビットに基づいて、前記コードワードおよび前記トランスポート層の前記マッピングの組み合わせの前記インデックス値を決定する
よう構成される、請求項３１に記載の受信デバイス。
【請求項３３】
送信デバイスであって、前記デバイスは、複数のビームを含む無線通信システムに適用可能であり、プロセッサおよび送受信機を備え、
前記プロセッサは、データを受信デバイスへ送信するために使用される少なくとも１つの送信ビームおよびビームインジケーション情報を決定するよう構成され、
前記送受信機は、前記プロセッサによって決定された前記ビームインジケーション情報を前記受信デバイスへ送信し、前記プロセッサによって決定された前記少なくとも１つの送信ビームを使用することによって前記データを送信するよう構成される、
送信デバイス。
【請求項３４】
前記ビームインジケーション情報は、前記データを受信するために使用される各受信ビームを前記受信デバイスに示す、請求項３３に記載の送信デバイス。
【請求項３５】
前記ビームインジケーション情報は、各受信ビームについての情報、または、各送信ビームについての情報を含む、請求項３４に記載の送信デバイス。
【請求項３６】
前記プロセッサは具体的には、準コロケーションＱＣＬ情報を前記受信デバイスへ送信するよう前記送受信機を制御するよう構成される、請求項３３から３５のいずれか一項に記載の送信デバイス。
【請求項３７】
前記プロセッサは更に、
前記ビームインジケーション情報を決定した後に、前記送信ビームおよび／または前記受信ビームとトランスポート層との間の対応関係を決定し、
前記ビームインジケーション情報、および、前記対応関係を前記受信デバイスへ送信するよう前記送受信機を制御するよう構成される、
請求項３３から３６のいずれか一項に記載の送信デバイス。
【請求項３８】
前記プロセッサは具体的には、
前記送信ビームおよび／または前記受信ビームとコードワードとの間の対応関係を決定し、
前記コードワードと前記トランスポート層との間のマッピング関係を決定し、
前記ビームインジケーション情報、および、前記コードワードと前記トランスポート層との間の前記マッピング関係を前記受信デバイスへ送信するよう前記送受信機を制御するよう構成される、
請求項３７に記載の送信デバイス。
【請求項３９】
前記プロセッサは具体的には、
物理層インジケーションシグナリングを使用することによって、前記ビームインジケーション情報、および、前記コードワードと前記トランスポート層との間の前記マッピング関係を前記受信デバイスへ送信するよう前記送受信機を制御するよう構成され、
前記コードワードがマッピングされるトランスポート層の数を示すために、指定されたビット数の情報ビットが、前記物理層インジケーションシグナリングにおいて設定される、または、前記コードワードおよび前記トランスポート層のマッピングの組み合わせのインデックス値を示すために、特定の情報ビットが前記物理層インジケーションシグナリングにおいて設定される、
請求項３８に記載の送信デバイス。
【請求項４０】
前記プロセッサは具体的には、
前記システムのトランスポート層の最大数に基づいて、前記指定されたビット数を決定する、または、
プロトコルにおいて規定される各コードワードのトランスポート層の最大数に基づいて、前記指定されたビット数を決定するよう構成される、請求項３９に記載の送信デバイス。
【請求項４１】
受信デバイスであって、前記デバイスは、複数のビームを含む無線通信システムに適用可能であり、プロセッサおよび送受信機を備え、
前記送受信機は、ビームインジケーション情報を送信デバイスから受信するよう構成され、
前記プロセッサは、前記送受信機によって受信される前記ビームインジケーション情報に従って、前記送信デバイスによって送信されるデータを受信するために使用される少なくとも１つの受信ビームを決定するよう構成され、
前記送受信ユニットは更に、前記プロセッサによって決定された前記少なくとも１つの受信ビームを使用することによって、前記送信デバイスによって送信される前記データを受信するよう構成される、
受信デバイス。
【請求項４２】
前記ビームインジケーション情報は、前記少なくとも１つの受信ビームについての情報を含み、
前記プロセッサは具体的には、
前記ビームインジケーション情報によって示される前記少なくとも１つの受信ビームについての前記情報に基づいて、前記送信デバイスによって送信される前記データを受信するために使用される前記少なくとも１つの受信ビームを決定するよう構成される、請求項４１に記載の受信デバイス。
【請求項４３】
前記ビームインジケーション情報は、少なくとも１つの送信ビームについての情報を含み、
前記プロセッサは具体的には、
前記ビームインジケーション情報によって示される前記少なくとも１つの送信ビームについての前記情報、および、送信ビームと受信ビームとの間の対応関係に基づいて、前記少なくとも１つの送信ビームについての情報に対応する少なくとも１つの受信ビームについての情報を決定するよう、ならびに、
前記少なくとも１つの送信ビームについての前記情報に対応する前記少なくとも１つの受信ビームについての前記情報に基づいて、前記送信デバイスによって送信される前記データを受信するために使用される前記少なくとも１つの受信ビームを決定するよう構成される、
請求項４１に記載の受信デバイス。
【請求項４４】
前記プロセッサは具体的には、
準コロケーションＱＣＬ情報を前記送信デバイスから受信するよう前記送受信機を制御して、
前記ＱＣＬ情報と前記ビームインジケーション情報との間の対応関係に基づいて、前記ビームインジケーション情報を決定するよう構成される、
請求項４１から４３のいずれか一項に記載の受信デバイス。
【請求項４５】
前記プロセッサは具体的には、
前記ビームインジケーション情報、および、送信ビームおよび／または受信ビームとトランスポート層との間の対応関係を前記送信デバイスから受信するよう前記送受信機を制御し、
前記ビームインジケーション情報、および、送信ビームおよび／または受信ビームとトランスポート層との間の前記対応関係に従って、前記送信デバイスによって送信される前記データを受信するために使用される前記少なくとも１つの受信ビーム、および、前記少なくとも１つの受信ビームによって受信される必要があるトランスポートストリームを決定するよう構成される、
請求項４１から４４のいずれか一項に記載の受信デバイス。
【請求項４６】
前記プロセッサは具体的には、
前記ビームインジケーション情報、および、コードワードとトランスポート層との間のマッピング関係を前記送信デバイスから受信するよう前記送受信機を制御し、
前記ビームインジケーション情報、および、前記コードワードと前記トランスポート層との間の前記マッピング関係に従って、前記送信デバイスによって送信される前記データを受信するために使用される前記少なくとも１つの受信ビーム、ならびに、前記少なくとも１つの受信ビームによって受信される必要があるトランスポートストリームを決定するよう構成される、
請求項４１から４４のいずれか一項に記載の受信デバイス。
【請求項４７】
前記プロセッサは具体的には、
物理層インジケーションシグナリングを使用することによって、前記ビームインジケーション情報、および、前記コードワードと前記トランスポート層との間の前記マッピング関係を前記送信デバイスから受信するよう前記送受信機を制御するよう構成され、
前記コードワードがマッピングされるトランスポート層の数を示すために、指定されたビット数の情報ビットが前記物理層インジケーションシグナリングに設定される、または、前記コードワードおよび前記トランスポート層のマッピングの組み合わせのインデックス値を示すために、特定の情報ビットが前記物理層インジケーションシグナリングに設定される、
請求項４６に記載の受信デバイス。
【請求項４８】
前記プロセッサは更に、
前記システムのトランスポート層の最大数、および、前記指定されたビット数の前記情報ビットに基づいて、前記コードワードがマッピングされるトランスポート層の数を決定する、または、
前記指定されたビット数の前記情報ビットに基づいて、プロトコルにおいて規定される各コードワードのトランスポート層の最大数を決定する、または、
前記特定の情報ビットに基づいて、前記コードワードおよび前記トランスポート層の前記マッピングの組み合わせの前記インデックス値を決定する
よう構成される、請求項４７に記載の受信デバイス。
【発明の詳細な説明】
【技術分野】
【０００１】
本願は、２０１６年１２月３０日に中国特許庁に出願された、「データ伝送方法、送信デバイスおよび受信デバイス」と題する中国特許出願第２０１６１１２６１９６４．７号に対する優先権を主張するものであり、これは、参照により全体が組み込まれる。
【０００２】
本発明の実施形態は、無線通信技術の分野に関し、特に、データ伝送方法、送信デバイスおよび受信デバイスに関する。
【背景技術】
【０００３】
ＬＴＥシステムにおいて、端のユーザのスループットを増加させるべく、マルチポイント伝送を含むマルチポイント協調伝送技術が導入されている。マルチポイント伝送の典型的な技術には、ジョイント伝送技術が含まれる。マルチポイント伝送技術、特にジョイント伝送技術は、セル間の情報交換の容量および速度によって制限されており、最適化されていない。５Ｇ新無線（５ｔｈ  ｇｅｎｅｒａｔｉｏｎ  ｎｅｗ  ｒａｄｉｏ、５Ｇ  ＮＲ）システムにおいて、セル間の情報交換の能力が改善されるにつれて（例えば、無線（ｏｖｅｒ−ｔｈｅ−ａｉｒ、ＯＴＡ）技術）、ジョイント伝送技術は更に最適化される必要がある。ジョイント伝送技術によれば、マルチビーム伝送シナリオについては、複数の基地局または局のデータは異なる方向から流れる。
【発明の概要】
【０００４】
本発明の実施形態は、５Ｇ  ＮＲシナリオにおいて、複数のビーム方向からデータを受信する端末の能力を改善するために、データ伝送方法、送信デバイス、受信デバイスを提供する。
【０００５】
第１態様によれば、データ伝送方法が提供される。
【０００６】
データ伝送方法は、複数のビームを含む無線通信システムに適用可能であり、送信デバイスが、データを受信デバイスへ送信するために使用される少なくとも１つの送信ビームおよびビームインジケーション情報を決定する段階と、送信デバイスが、ビームインジケーション情報を受信デバイスへ送信する段階と、送信デバイスが、少なくとも１つの送信ビームを使用することによってデータを送信する段階とを備える。
【０００７】
送信デバイスは、送信デバイスによって送信されるデータを受信するために使用される対応する受信ビームを受信デバイスに示すために、ビームインジケーション情報を送信し、その結果、受信デバイスは、データを受信するために好適な受信ビームを選択でき、それにより、受信の信号対干渉＋雑音比を改善する。
【０００８】
第１態様に関連して、第１態様の第１の可能な実装において、ビームインジケーション情報は、データを受信するために使用される各受信ビームを受信デバイスに示す。
【０００９】
送信デバイスは、ビームインジケーション情報を送信して、データを受信するために使用される各受信ビームを受信デバイスに示し、その結果、受信デバイスは、データを受信するために好適な受信ビームを選択でき、それにより、受信の信号対干渉＋雑音比を改善する。
【００１０】
第１態様または第１態様の第１の可能な実装に関連して、第１態様の第２の可能な実装において、ビームインジケーション情報は、受信ビームの各々についての情報、または、送信ビームの各々についての情報を含む。
【００１１】
受信ビームについての情報は、受信デバイスが、データを受信するために使用される受信ビームを直接認識することを可能にし得て、送信ビームについての情報は、受信デバイスが、データを受信するために使用される受信ビームを間接的に認識することを可能にし得る。
【００１２】
第１態様に関連して、第１態様の第３の可能な実装において、ビームインジケーション情報は、１層シグナリング構造または２層シグナリング構造の情報である。１層シグナリング構造は、送信ビームまたは受信ビームのインデックス値を示すために使用される物理層インジケーションシグナリングを含む。２層シグナリング構造は、データリンク層インジケーションシグナリングおよび物理層インジケーションシグナリングを含む。データリンク層インジケーションシグナリングは、送信デバイスによって使用されるビームセットを示すために使用され、物理層インジケーションシグナリングは、送信デバイスによって使用されるビームセットにおけるビームを示すために使用される。
【００１３】
ビームインジケーション情報は、異なる構造のシグナリングを使用することによって送信され、その結果、ビームインジケーション情報は、受信デバイスに動的に示され得る。
【００１４】
第１態様、または、第１態様の第１の可能な実装から第３の可能な実装のいずれか１つに関連して、第１態様の第４の可能な実装において、送信デバイスがビームインジケーション情報を受信デバイスへ送信することは、送信デバイスが準コロケーション（Ｑｕａｓｉ−Ｃｏ−Ｌｏｃａｔｉｏｎ、ＱＣＬ）情報を受信デバイスへ送信することを含む。
【００１５】
第１態様、または、第１態様の第１の可能な実装から第４の可能な実装のいずれか１つに関連して、第１態様の第５の可能な実装において、送信デバイスがビームインジケーション情報を決定した後に、方法は更に、送信デバイスが、送信ビームおよび／または受信ビームとトランスポート層との間の対応関係を決定する段階を備える。送信デバイスがビームインジケーション情報を受信デバイスへ送信することは、送信デバイスがビームインジケーション情報および対応関係を受信デバイスへ送信することを含む。
【００１６】
送信デバイスは、送信デバイスによって送信されるデータを受信するために使用される対応する受信ビームを受信デバイスへ示し、各受信ビームによって受信された対応するトランスポートストリームを受信デバイスに示すために、送信ビームおよび／または受信ビームとトランスポート層との間の対応関係、および、ビームインジケーション情報を送信し、その結果、受信デバイスは、受信ビームを使用することによって受信されたデータ信号の電力強度を区別し得て、受信デバイスは、トランスポート層の間の電力差を使用して信号干渉を除去する。このことは、データを複数のビーム方向から受信する受信デバイスの能力を増加させ、それにより、受信デバイスの信号受信の信号対雑音比を増加させる。
【００１７】
第１態様、または、第１態様の第５の可能な実装に関連して、第１態様の第６の可能な実装において、送信デバイスが、ビームインジケーション情報、および、送信ビームおよび／または受信ビームとトランスポート層との間の対応関係を受信デバイスへ送信することは、送信デバイスが、物理層インジケーションシグナリングを使用することによって、ビームインジケーション情報、および、送信ビームおよび／または受信ビームとトランスポート層との間の対応関係を受信デバイスへ送信することを含む。
【００１８】
第１態様、または、第１態様の第５の可能な実装に関連して、第１態様の第７の可能な実装において、送信デバイスが、送信ビームおよび／または受信ビームとトランスポート層との間の対応関係を決定することは、送信デバイスが、送信ビームおよび／または受信ビームとコードワードとの間の対応関係を決定すること、ならびに、送信デバイスが、コードワードとトランスポート層との間のマッピング関係を決定することを含む。送信デバイスがビームインジケーション情報を受信デバイスへ送信することは、送信デバイスが、ビームインジケーション情報、および、コードワードとトランスポート層との間のマッピング関係を受信デバイスへ送信することを含む。
【００１９】
送信デバイスは、送信デバイスによって送信されるデータを受信するために使用される対応する受信ビームを受信デバイスに示し、コードワードに対応するトランスポート層を示すために、ビームインジケーション情報、および、コードワードとトランスポート層との間のマッピング関係を送信し、その結果、受信デバイスは更に、複数コードワード間の干渉を除去する能力を改善するために、トランスポート層間の電力差を使用し、それにより、データを複数のビーム方向から受信する受信デバイスの能力を増加させる。
【００２０】
第１態様、または、第１態様の第７の可能な実装に関連して、第１態様の第８の可能な実装において、送信デバイスが、ビームインジケーション情報、および、コードワードとトランスポート層との間のマッピング関係を受信デバイスへ送信する段階は、送信デバイスが、物理層インジケーションシグナリングを使用することによって、ビームインジケーション情報、および、コードワードとトランスポート層との間のマッピング関係を受信デバイスへ送信する段階を含み、コードワードがマッピングされるトランスポート層の数を示すために、指定されたビット数の情報ビットが、物理層インジケーションシグナリングにおいて設定される、または、コードワードおよびトランスポート層のマッピングの組み合わせのインデックス値を示すために、特定の情報ビットが物理層インジケーションシグナリングにおいて設定される。
【００２１】
ビームインジケーション情報、および、コードワードとトランスポート層との間のマッピング関係は、物理層インジケーションシグナリングを使用することによって送信され、その結果、ビームインジケーション情報は、受信デバイスに動的に示され得る。
【００２２】
第１態様、または、第１態様の第８の可能な実装に関連して、第１態様の第９の可能な実装において、送信デバイスは、システムのトランスポート層の最大数に基づいて、指定されたビット数を決定する、または、送信デバイスは、プロトコルにおいて規定される各コードワードのトランスポート層の最大数に基づいて、指定されたビット数を決定する。
【００２３】
第２態様によれば、データ伝送方法が提供されている。
【００２４】
データ伝送方法は、複数のビームを含む無線通信システムに適用可能であり、受信デバイスが、送信デバイスからビームインジケーション情報を受信する段階と、受信デバイスが、ビームインジケーション情報に従って、送信デバイスによって送信されるデータを受信するために使用される少なくとも１つの受信ビームを決定する段階と、受信デバイスが、決定された少なくとも１つの受信ビームを使用することによって、送信デバイスによって送信されるデータを受信する段階とを備える。
【００２５】
受信デバイスは、送信デバイスによって送信されるビームインジケーション情報に従って、送信デバイスによって送信されるデータを受信するために使用される受信ビームを決定し得て、その結果、受信デバイスは、受信ビームを使用することによって受信されたデータ信号の電力強度を区別し得て、受信デバイスは、トランスポート層の間の電力差を使用して信号干渉を除去する。このことは、データを複数のビーム方向から受信する受信デバイスの能力を増加させ、それにより、受信デバイスの信号受信の信号対雑音比を増加させる。
【００２６】
第２態様に関連して、第２態様の第１の可能な実装において、ビームインジケーション情報は、少なくとも１つの受信ビームについての情報を含み、受信デバイスが、ビームインジケーション情報に従って、送信デバイスによって送信されるデータを受信するために使用される少なくとも１つの受信ビームを決定することは、受信デバイスが、ビームインジケーション情報によって示される少なくとも１つの受信ビームについての情報に基づいて、送信デバイスによって送信されるデータを受信するために使用される少なくとも１つの受信ビームを決定することを含む。
【００２７】
第２態様に関連して、第２態様の第２の可能な実装において、ビームインジケーション情報は、少なくとも１つの送信ビームについての情報を含む。受信デバイスがビームインジケーション情報に従って、送信デバイスによって送信されるデータを受信するために使用される少なくとも１つの受信ビームを決定する段階は、受信デバイスが、ビームインジケーション情報によって示される少なくとも１つの送信ビームについての情報、および、送信ビームと受信ビームとの間の対応関係に基づいて、少なくとも１つの送信ビームについての情報に対応する少なくとも１つの受信ビームについての情報を決定する段階と、受信デバイスが、少なくとも１つの送信ビームについての情報に対応する少なくとも１つの受信ビームについての情報に基づいて、送信デバイスによって送信されるデータを受信するために使用される少なくとも１つの受信ビームを決定する段階とを含む。
【００２８】
第２態様、または、第２態様の第１の可能な実装もしくは第２の可能な実装に関連して、第２態様の第３の可能な実装において、受信デバイスがビームインジケーション情報を送信デバイスから受信することは、受信デバイスが、ＱＣＬ情報を送信デバイスから受信すること、および、受信デバイスが、ＱＣＬ情報とビームインジケーション情報との間の対応関係に基づいてビームインジケーション情報を決定することを含む。
【００２９】
第２態様、または、第２態様の第１の可能な実装から第３の可能な実装のいずれか１つに関連して、第２態様の第４の可能な実装において、受信デバイスがビームインジケーション情報を送信デバイスから受信することは、受信デバイスが、ビームインジケーション情報、および、送信ビームおよび／または受信ビームとトランスポート層との間の対応関係を送信デバイスから受信することを含む。受信デバイスが、ビームインジケーション情報に従って、送信デバイスによって送信されるデータを受信するために使用される少なくとも１つの受信ビームを決定することは、受信デバイスが、ビームインジケーション情報、および、送信ビームおよび／または受信ビームとトランスポート層との間の対応関係に従って、送信デバイスによって送信されるデータを受信するために使用される少なくとも１つの受信ビーム、および、少なくとも１つの受信ビームによって受信される必要があるトランスポートストリームを決定することを含む。
【００３０】
第２態様、または、第２態様の第１の可能な実装から第３の可能な実装のいずれか１つに関連して、第２態様の第５の可能な実装において、受信デバイスが、ビームインジケーション情報を送信デバイスから受信することは、受信デバイスが、ビームインジケーション情報、および、コードワードとトランスポート層との間のマッピング関係を送信デバイスから受信することを含む。受信デバイスが、ビームインジケーション情報に従って、送信デバイスによって送信されるデータを受信するために使用される少なくとも１つの受信ビームを決定することは、受信デバイスが、ビームインジケーション情報、および、コードワードとトランスポート層との間のマッピング関係に従って、送信デバイスによって送信されるデータを受信するために使用される少なくとも１つの受信ビーム、および、少なくとも１つの受信ビームによって受信される必要があるトランスポートストリームを決定することを含む。
【００３１】
第２態様、または、第２態様の第５の可能な実装に関連して、第２態様の第６の可能な実装において、受信デバイスが、ビームインジケーション情報、および、コードワードとトランスポート層との間のマッピング関係を送信デバイスから受信する段階は、受信デバイスが、物理層インジケーションシグナリングを使用することによって、ビームインジケーション情報、および、コードワードとトランスポート層との間のマッピング関係を送信デバイスから受信する段階を含み、コードワードがマッピングされるトランスポート層の数を示すために、指定されたビット数の情報ビットは、物理層インジケーションシグナリングに設定される、または、コードワードおよびトランスポート層のマッピングの組み合わせのインデックス値を示すために、特定の情報ビットが物理層インジケーションシグナリングに設定される。
【００３２】
第２態様、または、第２態様の第６の可能な実装に関連して、第２態様の第７の可能な実装において、当該方法は、受信デバイスが、システムのトランスポート層の最大数、および、指定されたビット数の情報ビットに基づいて、コードワードがマッピングされるトランスポート層の数を決定する段階、または、受信デバイスが、指定されたビット数の情報ビットに基づいて、プロトコルにおいて規定された各コードワードのトランスポート層の最大数を決定する段階、または、受信デバイスが、特定の情報ビットに基づいて、コードワードおよびトランスポート層のマッピングの組み合わせのインデックス値を決定する段階を更に備える。
【００３３】
第３態様によれば、送信デバイスが提供される。
【００３４】
送信デバイスは、複数のビームを含む無線通信システムに適用可能であり、データを受信デバイスへ送信するために使用される少なくとも１つの送信ビーム、および、ビームインジケーション情報を決定するよう構成される処理ユニットと、ビームインジケーション情報を受信デバイスへ送信するよう、および、少なくとも１つの送信ビームを使用することによってデータを送信するよう構成される送受信ユニットとを備える。
【００３５】
第３態様に関連して、第３態様の第１の可能な実装において、ビームインジケーション情報は、データを受信するために使用される各受信ビームを受信デバイスに示す。
【００３６】
第３態様または第３態様の第１の可能な実装に関連して、第３態様の第２の可能な実装において、ビームインジケーション情報は、受信ビームの各々についての情報、または、送信ビームの各々についての情報を含む。
【００３７】
第３態様、または、第３態様の第１の可能な実装または第２の可能な実装のいずれか１つに関連して、第３態様の第３の可能な実装において、送受信ユニットは具体的には、ＱＣＬ情報を受信デバイスへ送信するよう構成される。
【００３８】
第３態様、または、第３態様の第１の可能な実装から第３の可能な実装のいずれか１つに関連して、第３態様の第４の可能な実装において、処理ユニットは更に、ビームインジケーション情報を決定した後に、送信ビームおよび／または受信ビームとトランスポート層との間の対応関係を決定するよう構成される。送受信ユニットは具体的には、ビームインジケーション情報および対応関係を受信デバイスへ送信するよう構成される。
【００３９】
第３態様または第３態様の第４の可能な実装に関連して、第３態様の第５の可能な実装において、処理ユニットは具体的には、送信ビームおよび／または受信ビームとコードワードとの間の対応関係を決定し、コードワードとトランスポート層との間のマッピング関係を決定するよう構成される。送受信ユニットは具体的には、ビームインジケーション情報、および、コードワードとトランスポート層との間のマッピング関係を受信デバイスへ送信するよう構成される。
【００４０】
第３態様、または、第３態様の第５の可能な実装に関連して、第３態様の第６の可能な実装において、送受信ユニットは具体的には、物理層インジケーションシグナリングを使用することによって、ビームインジケーション情報、および、コードワードとトランスポート層との間のマッピング関係を受信デバイスへ送信するよう構成され、コードワードがマッピングされるトランスポート層の数を示すために、指定されたビット数の情報ビットが、物理層インジケーションシグナリングに設定される、または、コードワードおよびトランスポート層のマッピングの組み合わせのインデックス値を示すために、特定の情報ビットが物理層インジケーションシグナリングに設定される。
【００４１】
第３態様、または、第３態様の第６の可能な実装に関連して、第３態様の第７の可能な実装において、処理ユニットは具体的には、システムのトランスポート層の最大数に基づいて、指定されたビット数を決定する、または、プロトコルにおいて規定される各コードワードのトランスポート層の最大数に基づいて、指定されたビット数を決定するよう構成される。
【００４２】
第４態様によれば、受信デバイスが提供される。
【００４３】
受信デバイスは、複数のビームを含む無線通信システムに適用可能であり、ビームインジケーション情報を送信デバイスから受信するよう構成される送受信ユニットと、ビームインジケーション情報に従って、送信デバイスによって送信されるデータを受信するために使用される少なくとも１つの受信ビームを決定するよう構成される処理ユニットとを備え、送受信ユニットは更に、決定された少なくとも１つの受信ビームを使用することによって、送信デバイスによって送信されるデータを受信するよう構成される。
【００４４】
第４態様に関連して、第４態様の第１の可能な実装において、ビームインジケーション情報は、少なくとも１つの受信ビームについての情報を含み、処理ユニットは具体的には、ビームインジケーション情報によって示される少なくとも１つの受信ビームについての情報に基づいて、送信デバイスによって送信されるデータを受信するために使用される少なくとも１つの受信ビームを決定するよう構成される。
【００４５】
第４態様に関連して、第４態様の第２の可能な実装において、ビームインジケーション情報は、少なくとも１つの送信ビームについての情報を含み、処理ユニットは具体的には、ビームインジケーション情報によって示される少なくとも１つの送信ビームについての情報、および、送信ビームと受信ビームとの間の対応関係に基づいて、少なくとも１つの送信ビームについての情報に対応する少なくとも１つの受信ビームについての情報を決定し、少なくとも１つの送信ビームについての情報に対応する少なくとも１つの受信ビームについての情報に基づいて、送信デバイスによって送信されるデータを受信するために使用される少なくとも１つの受信ビームを決定するよう構成される。
【００４６】
第４態様、または、第４態様の第１の可能な実装または第２の可能な実装に関連して、第４態様の第３の可能な実装において、送受信ユニットは具体的には、ＱＣＬ情報を送信デバイスから受信し、処理ユニットを使用することによって、ＱＣＬ情報とビームインジケーション情報との間の対応関係に基づいてビームインジケーション情報を決定するよう構成される。
【００４７】
第４態様、または、第４態様の第１の可能な実装から第３の可能な実装のいずれか１つに関連して、第４態様の第４の可能な実装において、送受信ユニットは具体的には、ビームインジケーション情報、および、送信ビームおよび／または受信ビームとトランスポート層との間の対応関係を送信デバイスから受信するよう構成される。処理ユニットは具体的には、ビームインジケーション情報、および、送信ビームおよび／または受信ビームとトランスポート層との間の対応関係に従って、送信デバイスによって送信されるデータを受信するために使用される少なくとも１つの受信ビーム、および、少なくとも１つの受信ビームによって受信される必要があるトランスポートストリームを決定するよう構成される。
【００４８】
第４態様、または、第４態様の第１の可能な実装から第３の可能な実装のいずれか１つに関連して、第４態様の第５の可能な実装において、送受信ユニットは具体的には、ビームインジケーション情報、および、コードワードとトランスポート層との間のマッピング関係を送信デバイスから受信するよう構成される。処理ユニットは具体的には、ビームインジケーション情報、および、コードワードとトランスポート層との間のマッピング関係に従って、送信デバイスによって送信されるデータを受信するために使用される少なくとも１つの受信ビーム、および、少なくとも１つの受信ビームによって受信される必要があるトランスポートストリームを決定するよう構成される。
【００４９】
第４態様、または、第４態様の第５の可能な実装に関連して、第４態様の第６の可能な実装において、送受信ユニットは具体的には、物理層インジケーションシグナリングを使用することによって、ビームインジケーション情報、および、コードワードとトランスポート層との間のマッピング関係を送信デバイスから受信するよう構成され、コードワードがマッピングされるトランスポート層の数を示すために、指定されたビット数の情報ビットが物理層インジケーションシグナリングに設定される、または、コードワードおよびトランスポート層のマッピングの組み合わせのインデックス値を示すために、特定の情報ビットが物理層インジケーションシグナリングに設定される。
【００５０】
第４態様、または、第４態様の第６の可能な実装に関連して、第４態様第７の可能な実装において、処理ユニットは更に、システムのトランスポート層の最大数、および、指定されたビット数の情報ビットに基づいて、コードワードがマッピングされるトランスポート層の数を決定する、または、指定されたビット数の情報ビットに基づいて、プロトコルにおいて規定される各コードワードのトランスポート層の最大数を決定する、または、特定の情報ビットに基づいて、コードワードおよびトランスポート層のマッピングの組み合わせのインデックス値を決定するよう構成される。
【００５１】
第５態様によれば、送受信機およびプロセッサを備える送信デバイスが提供される。プロセッサは、第１態様、または、第１態様の実装のいずれか１つに係る方法を実行するよう構成される。
【００５２】
第６態様によれば、送受信機およびプロセッサを備える送信デバイスが提供される。プロセッサは、第２態様、または、第２態様の実装のいずれか１つに係る方法を実行するよう構成される。
【００５３】
第７態様によれば、第５態様において提供されるプロセッサによって実行されるコンピュータソフトウェア命令を記憶するよう構成されるコンピュータ記憶媒体が提供され、これにより、第１態様、または、第１態様の可能な実装に係る方法を実行する。
【００５４】
第８態様によれば、第６態様において提供されるプロセッサによって実行されるコンピュータソフトウェア命令を記憶するよう構成されるコンピュータ記憶媒体が提供され、これにより、第２態様、または、第２態様の可能な実装に係る方法を実行する。
【図面の簡単な説明】
【００５５】
【図１】本発明の実施形態に係るシステムアーキテクチャの概略図である。
【００５６】
【図２】本発明の実施形態に係るデータ伝送方法である。
【００５７】
【図３】本発明の実施形態に係るマルチポイントジョイント伝送のシナリオの概略図である。
【００５８】
【図４】本発明の実施形態に係るマルチポイントジョイント伝送のシナリオの概略図である。
【００５９】
【図５】本発明の実施形態に係る送信デバイスの概略構造図である。
【００６０】
【図６】本発明の実施形態に係る受信デバイスの概略構造図である。
【００６１】
【図７】本発明の実施形態に係る送信デバイスの概略構造図である。
【００６２】
【図８】本発明の実施形態に係る受信デバイスの概略構造図である。
【発明を実施するための形態】
【００６３】
本発明の目的、技術的解決手段、および利点をより明確にするために、以下では更に、添付図面を参照して本発明を詳細に説明する。
【００６４】
図１は、本発明の実施形態が適用可能なシステムアーキテクチャを示す。データ伝送手順は、システムアーキテクチャに基づいて制御されることができる。本発明の本実施形態において提供されるデータ伝送のためのシステムアーキテクチャは、複数の送信デバイス１０１および受信デバイス１０２を備える。
【００６５】
送信デバイス１０１は、基地局、または、基地局によって管理される局であり得る。受信デバイス１０２はモバイル端末であり得る。複数のビームを含む無線通信システムにおいて、複数の送信デバイス１０１は、ジョイント伝送技術および複数のビームを使用することによって、複数の送信デバイス１０１によって受信デバイス１０２へ送信されたデータを受信し得る。
【００６６】
本発明の本実施形態において、複数のビームは、１つの送信デバイス１０１における複数のビームであり得る、または、複数の送信デバイス１０１における複数のビームであり得る。例えば、第１送信デバイス１０１は、１つのビームを使用し得て、第２送信デバイス１０１は、２つのビームを使用し得て、これに対応して、受信デバイス１０２は、２つの送信デバイス１０１によって送信されるデータを受信するために３つのビームを使用する必要がある。
【００６７】
複数の送信デバイス１０１がジョイント伝送技術を使用するとき、複数の送信デバイス１０１の主デバイスは、データ伝送に使用されるビームを割り当てること、および、各送信デバイス１０１にビームを通知することを担当し、その結果、各送信デバイス１０１は、データ伝送を実装するために送信デバイス１０１によって使用されることができるビームを認識する。
【００６８】
上述の説明に基づいて、図２は、本発明の実施形態に係るデータ伝送方法の手順の例を示す。当該手順は、複数のビームを含む無線通信システムに適用可能である。
【００６９】
図２に示されるように、手順は、以下の具体的段階を含む。
【００７０】
段階２０１：送信デバイスが、データを受信デバイスへ送信するために使用される少なくとも１つの送信ビーム、および、ビームインジケーション情報を決定する。
【００７１】
段階２０２：送信デバイスが、ビームインジケーション情報を受信デバイスへ送信する。
【００７２】
段階２０３：送信デバイスが、少なくとも１つの送信ビームを使用することによってデータを送信する。
【００７３】
段階２０４：受信デバイスが、ビームインジケーション情報を送信デバイスから受信し、ビームインジケーション情報に従って、送信デバイスによって送信されるデータを受信するために使用される少なくとも１つの受信ビームを決定する。
【００７４】
段階２０５：受信デバイスが、決定された少なくとも１つの受信ビームを使用することによって、送信デバイスによって送信されるデータを受信する。
【００７５】
本発明の本実施形態において、データを受信デバイスへ送信するとき、送信デバイスは、データを受信デバイスへ送信するために使用される少なくとも１つの送信ビームをまず決定する必要がある。使用される少なくとも１つの送信ビームは、既存の一般的技術を使用することによって決定される。これは、本発明の本実施形態において更に説明されない。
【００７６】
データを受信デバイスへ送信するために使用される少なくとも１つの送信ビームが決定されるとき、ビームインジケーション情報も決定される必要がある。ビームインジケーション情報は、データの受信に使用される各受信ビームを受信デバイスに示し得る。
【００７７】
具体的には、ビームインジケーション情報は、各受信ビームについての情報であり得る。各受信ビームについての情報は、データを受信するために使用される各受信ビームを決定するよう受信デバイスに命令し得る。ビームインジケーション情報は代替的に、各送信ビームについての情報であり得る。各送信ビームについての情報は、データを受信するために使用される受信ビームを決定するよう受信デバイスに命令し得る。
【００７８】
各受信ビームについての情報、または、各送信ビームについての情報が示され、その結果、受信デバイスは、受信されたデータ信号のうち電力が最も強いものを使用することによって、受信ビームを認識でき、大きい電力差の利点を使用して、反復的な干渉除去を強化し、それにより、データを複数のビーム方向から受信する受信デバイスの能力を増加させる。
【００７９】
任意選択的に、ビームインジケーション情報は、１層シグナリング構造または２層シグナリング構造であり得る。１層シグナリング構造であるとき、ビームインジケーション情報は、物理層インジケーションシグナリングであり得て、送信ビームおよび／または受信ビームのインデックス値は、物理層インジケーションシグナリングを使用することによって示される。２層シグナリング構造であるとき、ビームインジケーション情報は、データリンク層インジケーションシグナリングおよび物理層インジケーションシグナリングの組み合わせであり得て、送信ビームセットおよび／または受信ビームセットは、データリンク層インジケーションシグナリングを使用することによって示され、送信ビームセットまたは受信ビームセットにおける送信ビームおよび／または受信ビームは、物理層インジケーションシグナリングを使用することによって示される。
【００８０】
送信デバイスがビームインジケーション情報を決定するとき、送信デバイスは、送信ビームおよび／または受信ビームとトランスポート層との間の対応関係を決定する必要もあり、その結果、受信デバイスは、データを受信するとき、受信ビームを使用することによって受信されるトランスポート層を認識する。送信ビームおよび／または受信ビームは、１または複数のトランスポート層に対応し得る。これは、本発明の本実施形態において限定されるものではない。
【００８１】
送信デバイスは、ビームインジケーション情報、および、送信ビームおよび／または受信ビームとトランスポート層との間の決定された対応関係を受信デバイスへ送信し得る。送信デバイスは、物理層インジケーションシグナリングを使用することによって、ビームインジケーション情報、および、送信ビームおよび／または受信ビームとトランスポート層との間の対応関係を受信デバイスへ送信する。ビームインジケーション情報、および、送信ビームおよび／または受信ビームとトランスポート層との間の決定された対応関係は、１つのシグナリングにおいて、同一の情報フィールド、または、２つの異なる情報フィールドにおいて示され得る。
【００８２】
例えば、図３におけるマルチポイントジョイント伝送シナリオにおいて、局ＢＳ１および局ＢＳ２は、データを端末ＵＥ１へジョイント送信する。局ＢＳ１は、送信ビーム１を使用することによって、データを端末ＵＥ１へ送信し、局ＢＳ２は、送信ビーム２を使用することによって、データを端末ＵＥ１へ送信する。
【００８３】
ビームインジケーション情報、および、送信ビームおよび／または受信ビームとトランスポート層との間の対応関係が同一の情報フィールドにあるとき、インジケーション方式は、表１に示されるものであり得る。  ［表１］
【表１】
2020503772.tif 000003
【００８４】
すなわち、受信ビームによって受信されたすべてのトランスポート層は、１つずつ列挙される。
【００８５】
ビームインジケーション情報、および、送信ビームおよび／または受信ビームとトランスポート層との間の対応関係が異なる情報フィールドにあるとき、１つの情報フィールドにおけるビームインジケーション情報の配置方式は、表２に示されるようなものであり得る。  ［表２］
【表２】
2020503772.tif 000004
【００８６】
情報フィールドにおいて、使用される受信ビームのみが示され、受信ビームによって受信されるトランスポート層は示されない。
【００８７】
送信ビームおよび／または受信ビームとトランスポート層との間の対応関係は、別の情報フィールドに配置され得て、受信ビーム１：３であり得て、最初の３つのトランスポート層はすべて、１つの受信ビームによって受信されることを示す。受信ビーム２：１は、第４、すなわち、第（３＋１）のトランスポート層が受信ビーム２によって受信されることを示す。
【００８８】
更に、送信ビームおよび／または受信ビームとトランスポート層との間の対応関係を決定するとき、送信デバイスはまず、送信ビームおよび／または受信ビームとコードワードとの間の対応関係を決定し、コードワードとトランスポート層との間のマッピング関係を決定し、次に、ビームインジケーション情報、および、コードワードとトランスポート層との間のマッピング関係を受信デバイスへ送信し得る。
【００８９】
送信デバイスは、送信デバイスによって送信されるデータを受信するために使用される対応する受信ビームを受信デバイスに示し、コードワードに対応するトランスポート層を示すために、ビームインジケーション情報、および、コードワードとトランスポート層との間のマッピング関係を送信し、その結果、受信デバイスは更に、複数コードワード間の干渉を除去する能力を改善するために、トランスポート層間の電力差を使用し、それにより、データを複数のビーム方向から受信する受信デバイスの能力を増加させる。
【００９０】
図３に示されるシナリオにおいて、局ＢＳ１によって送信される信号Ｓ１、Ｓ２、Ｓ３は、コードワード１に対応し、局ＢＳ２によって送信される信号Ｓ４は、コードワード２に対応する。各コードワードにおける受信ビームについての情報は各情報フィールドに示される。
【００９１】
ビームインジケーション情報、および、コードワードとトランスポート層との間のマッピング関係は、物理層インジケーションシグナリングを使用することによって、受信デバイスへ送信され得て、コードワードがマッピングされるトランスポート層の数を示すために、指定されたビット数の情報ビットは、物理層インジケーションシグナリングに設定される。具体的には、送信デバイスは、システムのトランスポート層の最大数に基づいて、指定されたビット数を決定し得る。
【００９２】
例えば、Ｍは、現在のシステムのトランスポート層の最大数であり、各コードワードがマッピングされるトランスポート層の数を示すために、指定されたビット数は、ｌｏｇ２（Ｍ）を使用することによって、Ｍの値に基づいて決定される。
【００９３】
代替的に、各コードワードがマッピングされるトランスポート層の数を示すために、指定されたビット数は、プロトコルにおいて規定される各コードワードのトランスポート層の最大数に基づいて決定され得る。例えば、１つのコードワードは、動的に１または２つの層に対応し、その結果、各コードワードは、コードワードがマッピングされるトランスポート層の数を示すために、１つの情報ビットだけを必要とする。
【００９４】
代替的に、コードワードおよびトランスポート層のマッピングの組み合わせのインデックス値を示すために、特定の情報ビットは、物理層インジケーションシグナリングにおいて設定され得る。例えば、２つのコードワードがあり、かつ、各コードワードが最大で２つのトランスポート層にマッピングされるとき、コードワードおよびトランスポート層のマッピングの組み合わせはそれぞれ、｛１，１｝、｛１，２｝、｛２，１｝および｛２，２｝である。したがって、４つケースを示すために２つの特定の情報ビットが使用され得る。コードワードとトランスポート層との間の現在のマッピング関係が｛１，２｝であるとき、特定の情報ビットは０１である。
【００９５】
コードワードおよびトランスポート層の動的マッピング技術を使用することによって、異なるビーム方向からのデータが異なるコードワードの様々なトランスポート層に対応するケースが柔軟にサポートされ得る。
【００９６】
任意選択的に、ビームインジケーション情報を受信デバイスへ送信するとき、送信デバイスは暗黙的に、ビームインジケーション情報を受信デバイスに示し得る。具体的に、送信デバイスは、ＱＣＬ情報を受信デバイスへ送信し得て、受信デバイスは、ＱＣＬ情報とビームインジケーション情報との間の対応関係に基づいて、データを受信するために使用される受信ビームを決定し得る。
【００９７】
上記の実施形態において、送信デバイスは、送信デバイスによって送信されるデータを受信するために使用される対応する受信ビームを受信デバイスに示すために、ビームインジケーション情報を送信し、その結果、受信デバイスは、データを受信するために好適な受信ビームを選択でき、それにより、受信の信号対干渉＋雑音比を改善する。
【００９８】
上記の実施形態に基づいて、受信デバイスは、示された受信ビームを使用することによって、強い信号電力を有する受信ビームを識別し得る。これは主に以下の方式を含む。
【００９９】
方式１：異なるビーム受信方向が異なるコードワードに対応することを示し、各ビーム方向における高い信頼性レベル（より高い受信電力）を有するコードワードを識別し、当該コードワードを優先的に試験する。
【０１００】
方式２：異なるビーム受信方向が異なるコードワードに対応することを示し、各ビーム方向における高い信頼性レベル（より高い受信電力）を有するコードワードを識別し、当該コードワードを優先的に試験し、次に、低い信頼性レベルを有するコードワードを試験し、高い信頼性レベルを有するコードワードを干渉として除去する。
【０１０１】
方式３：異なるビーム受信方向が異なるコードワードに対応することを示し、各ビーム方向における高い信頼性レベル（より高い受信電力）を有するコードワードを識別し、当該コードワードを優先的に試験し、次に、試験結果を別のビームに代入し、試験結果を干渉として除去し、これにより、所望の信号の試験効果を更に改善する。
【０１０２】
図４のシナリオにおいて、伝送モデルは、Ｙ＝Ｈ１Ｖ１Ｓ１＋Ｈ２Ｖ２Ｓ２＋Ｉｎｔｅｒ＋ｎｏｉｓｅである。このケースでは、信号試験を実行するために、以下の方式が受信デバイスによって使用され得る。
【０１０３】
まず、図４に示されるように、受信デバイスは、ビームインジケーション情報に従って、受信ビーム１を使用してＳ１を受信し（Ｓ２は干渉として使用される）、受信ビーム２を使用してＳ２を受信する（Ｓ１は干渉として使用される）。
【０１０４】
方式１は以下の通りである。
【０１０５】
受信ビーム１は、ビームインジケーション情報に従って、Ｓ１を受信し、Ｓ１は強い信号として優先的に試験される。次に、試験後、Ｓ１が既知の干渉として除去された後に、Ｓ２が試験される。次に、Ｓ２が干渉として除去された後、Ｓ１が再度試験される。干渉Ｓ２が除去されるので、試験されるＳ１の試験正確率が再度増加する。受信ビーム２はＳ２を受信し、Ｓ２は強い信号として優先的に試験される。次に、試験後、Ｓ２が既知の干渉として除去された後に、Ｓ１が試験される。次に、Ｓ１が干渉として除去された後に、Ｓ２が再度試験される。干渉Ｓ１が除去されるので、試験されるＳ２の試験正確率が再度増加する。
【０１０６】
方式２は以下の通りである。
【０１０７】
受信ビーム１は、ビームインジケーション情報に従って、Ｓ１を受信し、Ｓ１'は試験によって取得され、受信ビーム２はＳ２を受信し、Ｓ２'は試験によって取得される。Ｓ２'は受信ビーム１の受信モデルに代入されて干渉として除去され、次にＳ１が試験される。同様に、Ｓ１'は受信ビーム２の受信モデルに代入されて干渉として除去され、次にＳ２が試験される。
【０１０８】
これに対応して、ビームインジケーション情報を送信デバイスから受信するとき、受信デバイスは、ビームインジケーション情報に従って、送信デバイスによって送信されるデータを受信するために使用される少なくとも１つの受信ビームを決定する必要がある。ビームインジケーション情報が、少なくとも１つの受信ビームについての情報を含むとき、受信デバイスは、ビームインジケーション情報によって示される少なくとも１つの受信ビームについての情報に基づいて、送信デバイスによって送信されるデータを受信するために使用される少なくとも１つの受信ビームを決定する。
【０１０９】
ビームインジケーション情報が少なくとも１つの送信ビームについての情報を含むとき、受信デバイスは、ビームインジケーション情報によって示される少なくとも１つの送信ビームについての情報、および、送信ビームと受信ビームとの間の対応関係に基づいて、少なくとも１つの送信ビームについての情報に対応する少なくとも１つの受信ビームについての情報を決定する必要がある。送信ビームと受信ビームとの間の対応関係が事前に認識され、受信デバイスは、使用されているときに、送信ビームと受信ビームとの間の対応関係を検索し得る。次に、受信デバイスは、少なくとも１つの送信ビームについての情報に対応する少なくとも１つの受信ビームについての情報に基づいて、送信デバイスによって送信されるデータを受信するために使用される少なくとも１つの受信ビームを決定する。例えば、ビームインジケーション情報は、送信ビーム１および送信ビーム２を含み、送信ビームと受信ビームとの間の対応関係を検索するとき、受信デバイスは、送信ビーム１が受信ビームａに対応し、送信ビーム２が受信ビームｂに対応することを発見する。したがって、受信デバイスは、送信ビーム１によって送信されるデータを受信するために受信ビームａを使用し、送信ビーム２によって送信されるデータを受信するために、受信ビームｂを使用すると決定する。
【０１１０】
送信デバイスによって送信されるビームインジケーション情報、および、送信ビームおよび／または受信ビームとトランスポート層との間の対応関係を受信するとき、受信デバイスは、ビームインジケーション情報、および、送信ビームおよび／または受信ビームとトランスポート層との間の対応関係に従って、送信デバイスによって送信されるデータを受信するために使用される少なくとも１つの受信ビーム、および、少なくとも１つの受信ビームによって受信されたトランスポートストリームを決定する。すなわち、受信デバイスは、送信されたデータを受信するために使用される受信ビームを認識するだけでなく、受信ビームによって受信されたトランスポートストリームが属するトランスポート層を認識し得る。
【０１１１】
送信デバイスによって送信されるビームインジケーション情報、および、送信ビームおよび／または受信ビームとトランスポート層との間の対応関係は、物理層インジケーションシグナリングを使用することによって受信される。物理層インジケーションシグナリングにおける配置の形式および識別方式は、上記の実施形態において説明され、ここでは再度説明されない。
【０１１２】
同じ技術的考えに基づいて、図５は、送信デバイスの構造の例を示す。当該構造は、複数のビームを含む無線通信システムに適用可能であり、データを受信デバイスへ送信するために使用される少なくとも１つの送信ビーム、および、ビームインジケーション情報を決定するよう構成される処理ユニット５０１と、ビームインジケーション情報を受信デバイスへ送信するよう、および、少なくとも１つの送信ビームを使用することによってデータを送信するよう構成される送受信ユニット５０２とを備える。
【０１１３】
任意選択的に、ビームインジケーション情報は、データを受信するために使用される各受信ビームを受信デバイスに示す。
【０１１４】
任意選択的に、ビームインジケーション情報は、各送信ビームについての各受信ビームまたは情報についての情報を含む。
【０１１５】
任意選択的に、送受信ユニット５０２は具体的には、ＱＣＬ情報を受信デバイスへ送信するよう構成される。
【０１１６】
任意選択的に、処理ユニット５０１は更に、ビームインジケーション情報を決定した後に、送信ビームおよび／または受信ビームとトランスポート層との間の対応関係を決定するよう構成され、送受信ユニット５０２は、具体的には、ビームインジケーション情報および対応関係を受信デバイスへ送信するよう構成される。
【０１１７】
任意選択的に、処理ユニット５０１は具体的には、送信ビームおよび／または受信ビームとコードワードとの間の対応関係を決定し、コードワードとトランスポート層との間のマッピング関係を決定するよう構成され、送受信ユニット５０２は具体的には、ビームインジケーション情報およびコードワードとトランスポート層との間のマッピング関係を受信デバイスへ送信するよう構成される。
【０１１８】
任意選択的に、送受信ユニット５０２は具体的には、物理層インジケーションシグナリングを使用することによって、ビームインジケーション情報、および、コードワードとトランスポート層との間のマッピング関係を受信デバイスへ送信するよう構成され、コードワードがマッピングされるトランスポート層の数を示すために、指定されたビット数の情報ビットが、物理層インジケーションシグナリングに設定される、または、コードワードおよびトランスポート層のマッピングの組み合わせのインデックス値を示すために、特定の情報ビットが物理層インジケーションシグナリングに設定される。
【０１１９】
任意選択的に、処理ユニット５０１は具体的には、システムのトランスポート層の最大数に基づいて、指定されたビット数を決定する、または、プロトコルにおいて規定される各コードワードのトランスポート層の最大数に基づいて、指定されたビット数を決定するよう構成される。
【０１２０】
同じ技術的考えに基づいて、図６は、受信デバイスの構造の例を示す。当該構造は、複数のビームを含む無線通信システムに適用可能であり、ビームインジケーション情報を送信デバイスから受信するよう構成される送受信ユニット６０１と、ビームインジケーション情報に従って、送信デバイスによって送信されるデータを受信するために使用される少なくとも１つの受信ビームを決定するよう構成される処理ユニット６０２とを備え、送受信ユニット６０１は更に、決定された少なくとも１つの受信ビームを使用することによって、送信デバイスによって送信されるデータを受信するよう構成される。
【０１２１】
任意選択的に、ビームインジケーション情報は、少なくとも１つの受信ビームについての情報を含み、処理ユニット６０２は具体的には、ビームインジケーション情報によって示される少なくとも１つの受信ビームについての情報に基づいて、送信デバイスによって送信されるデータを受信するために使用される少なくとも１つの受信ビームを決定するよう構成される。
【０１２２】
任意選択的に、ビームインジケーション情報は、少なくとも１つの送信ビームについての情報を含み、処理ユニット６０２は具体的には、ビームインジケーション情報によって示される少なくとも１つの送信ビームについての情報、および、送信ビームと受信ビームとの間の対応関係に基づいて、少なくとも１つの送信ビームについての情報に対応する少なくとも１つの受信ビームについての情報を決定し、少なくとも１つの送信ビームについての情報に対応する少なくとも１つの受信ビームについての情報に基づいて、送信デバイスによって送信されるデータを受信するために使用される少なくとも１つの受信ビームを決定するよう構成される。
【０１２３】
任意選択的に、送受信ユニット６０１は具体的には、ＱＣＬ情報を送信デバイスから受信し、処理ユニット６０２を使用することによって、ＱＣＬ情報とビームインジケーション情報との間の対応関係に基づいてビームインジケーション情報を決定するよう構成される。
【０１２４】
任意選択的に、送受信ユニット６０１は具体的には、ビームインジケーション情報、ならびに、送信ビームおよび／または受信ビームとトランスポート層との間の対応関係を送信デバイスから受信するよう構成され、処理ユニット６０２は具体的には、ビームインジケーション情報、ならびに、送信ビームおよび／または受信ビームとトランスポート層との間の対応関係に従って、送信デバイスによって送信されるデータを受信するために使用される少なくとも１つの受信ビーム、および、少なくとも１つの受信ビームによって受信される必要があるトランスポートストリームを決定するよう構成される。
【０１２５】
任意選択的に、送受信ユニット６０１は具体的には、ビームインジケーション情報、および、コードワードとトランスポート層との間のマッピング関係を送信デバイスから受信するよう構成され、処理ユニット６０２は具体的には、ビームインジケーション情報、および、コードワードとトランスポート層との間のマッピング関係に従って、送信デバイスによって送信されるデータを受信するために使用される少なくとも１つの受信ビーム、および、少なくとも１つの受信ビームによって受信される必要があるトランスポートストリームを決定するよう構成される。
【０１２６】
任意選択的に、送受信ユニット６０１は具体的には、物理層インジケーションシグナリングを使用することによって、ビームインジケーション情報、および、コードワードとトランスポート層との間のマッピング関係を送信デバイスから受信するよう構成され、コードワードがマッピングされるトランスポート層の数を示すために、指定されたビット数の情報ビットが物理層インジケーションシグナリングに設定される、または、コードワードおよびトランスポート層のマッピングの組み合わせのインデックス値を示すために、特定の情報ビットが物理層インジケーションシグナリングに設定される。
【０１２７】
任意選択的に、処理ユニット６０２は更に、システムのトランスポート層の最大数、および、指定されたビット数の情報ビットに基づいて、コードワードがマッピングされるトランスポート層の数を決定する、または、指定されたビット数の情報ビットに基づいて、プロトコルにおいて規定される各コードワードのトランスポート層の最大数を決定する、または、特定の情報ビットに基づいて、コードワードおよびトランスポート層のマッピングの組み合わせのインデックス値を決定するよう構成される。
【０１２８】
同じ考えに基づいて、図７は、本願に係る送信デバイス７００を示す。送信デバイス７００は、上記の実施形態における送信デバイスによって実行される段階または機能を実行できる。送信デバイス７００は、送受信機７０１、プロセッサ７０２およびメモリ７０３を備え得る。プロセッサ７０２は、送信デバイス７００のオペレーションを制御するよう構成される。メモリ７０３は、リードオンリメモリおよびランダムアクセスメモリを含み得て、プロセッサ７０２によって実行されることができる命令およびデータを記憶する。送受信機７０１、プロセッサ７０２およびメモリ７０３などの様々なコンポーネントは、バス７０９を使用することによって接続される。データバスに加えて、バス７０９は、電力供給バス、制御バスおよびステータス信号バスを含み得る。しかしながら、説明を明確にするために、図における様々なタイプのバスが、バス７０９として示されている。当然、別の方式において、送受信機７０１およびメモリ７０３はまた、プロセッサ７０２に接続され得る。送受信機７０１は、送受信機であり得て、送信機および受信機を含み得る。
【０１２９】
本願において開示されるデータ伝送方法は、プロセッサ７０２に適用され得る、または、プロセッサ７０２によって実装され得る。
【０１３０】
プロセッサ７０２は、データ伝送手順を実行するためにメモリ７０３におけるコードを読み出すよう構成される。
【０１３１】
同じ考えに基づいて、図８は、本願に係る受信デバイス８００を示す。受信デバイス８００は、上記の実施形態における受信デバイスによって実行される段階または機能を実行できる。受信デバイス８００は、送受信機８０１、プロセッサ８０２およびメモリ８０３を備え得る。プロセッサ８０２は、受信デバイス８００のオペレーションを制御するよう構成される。メモリ８０３は、リードオンリメモリおよびランダムアクセスメモリを含み得て、プロセッサ８０２によって実行されることができる命令およびデータを記憶する。送受信機８０１、プロセッサ８０２およびメモリ８０３などの様々なコンポーネントは、バス８０９を使用することによって接続される。データバスに加えて、バス８０９は、電力供給バス、制御バスおよびステータス信号バスを含み得る。しかしながら、説明を明確にするために、図における様々なタイプのバスが、バス８０９として示されている。当然、別の方式において、送受信機８０１およびメモリ８０３はまた、プロセッサ８０２に接続され得る。送受信機８０１は、送受信機であり得て、送信機および受信機を含み得る。
【０１３２】
本願において開示されるデータ伝送方法は、プロセッサ８０２に適用され得る、または、プロセッサ８０２によって実装され得る。
【０１３３】
プロセッサ８０２は、データ伝送手順を実行するためにメモリ８０３におけるコードを読み出すよう構成される。
【０１３４】
当業者は、本発明の実施形態が、方法またはコンピュータプログラム製品として提供されてよいことを理解するはずである。したがって、本発明は、ハードウェアだけの実施形態、ソフトウェアだけの実施形態、または、ソフトウェアとハードウェアとの組み合わせによる実施形態の形態で使用されてよい。更に、本発明は、コンピュータが使えるプログラムコードを含む、コンピュータが使える１または複数の記憶媒体（ディスクメモリ、ＣＤ‐ＲＯＭ、光学メモリまたは同様のものを含むが、これらに限定されない）において実装されるコンピュータプログラム製品の形態を使用し得る。
【０１３５】
本発明は、本発明の実施形態に係る方法、デバイス（システム）、およびコンピュータプログラム製品のフローチャートおよび／またはブロック図を参照して説明されている。フローチャートおよび／またはブロック図の各プロセスおよび／または各ブロックと、フローチャートおよび／またはブロック図のプロセスおよび／またはブロックの組み合わせとを実装するために、コンピュータプログラム命令が使用されてよいことを理解されたい。これらのコンピュータプログラム命令は、汎用コンピュータ、専用コンピュータ、組み込み型プロセッサ、または機械を生成するための任意の他のプログラム可能データ処理デバイスのプロセッサに提供されて、コンピュータまたは任意の他のプログラム可能データ処理デバイスのプロセッサによって実行される複数の命令が、複数のフローチャートの１または複数のプロセスにおける、および／または複数のブロック図の１または複数のブロックにおける機能を実装するための機器を生成するようにし得る。
【０１３６】
これらのコンピュータプログラム命令はまた、コンピュータまたは任意の他のプログラム可能データ処理デバイスに命令して特定の方式で機能させるようにし得るコンピュータ可読メモリに記憶され得て、その結果、コンピュータ可読メモリに記憶されるそれらの命令は、命令機器を含むアーチファクトを生成する。命令機器は、複数のフローチャートの１または複数のプロセスにおける、および／または、複数のブロック図の１または複数のブロックにおける機能を実装する。
【０１３７】
これらのコンピュータプログラム命令はまた、コンピュータまたは別のプログラム可能データ処理デバイス上にロードされて、その結果、一連のオペレーションおよび段階がコンピュータまたは別のプログラム可能デバイス上で実行されるようにし得て、それにより、コンピュータにより実装される処理を生成する。したがって、コンピュータまたは別のプログラム可能デバイス上で実行されるそれらの命令は、複数のフローチャートの１または複数のプロセスにおける、および／または、複数のブロック図の１または複数のブロックにおける機能を実装するための複数の段階を提供する。
【０１３８】
本発明のいくつかの好ましい実施形態が説明されたが、当業者であれば、基本的な発明の概念を一度認識すれば、これらの実施形態に変更および変形を加えることが可能である。したがって、以下の特許請求の範囲は、好適な実施形態と、本発明の範囲に含まれる全ての変更および修正とを網羅するものとして解釈されることが意図されている。
【０１３９】
当業者であれば、本発明の主旨および範囲から逸脱することなく、本発明に対する様々な修正および変形を加えることができることが明らかである。本発明は、特許請求の範囲によって定義される保護の範囲内、および、本発明の同等技術の範囲内に含まれる限り、これらの修正および変形、を包含することを意図している。
【図１】
2020503772.tif 000005
【図２】
2020503772.tif 000006
【図３】
2020503772.tif 000007
【図４】
2020503772.tif 000008
【図５】
2020503772.tif 000009
【図６】
2020503772.tif 000010
【図７】
2020503772.tif 000011
【図８】
2020503772.tif 000012
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
データ伝送の方法であって、
送信デバイスが、データを受信デバイスへ送信するために使用される少なくとも１つの送信ビームおよびビームインジケーション情報を決定する段階と、
前記送信デバイスが、前記ビームインジケーション情報を前記受信デバイスへ送信する段階と、
前記送信デバイスが、前記少なくとも１つの送信ビームを使用することによって前記データを送信する段階と
を備える方法。
【請求項２】
前記ビームインジケーション情報は、前記データを受信するために使用される各受信ビームを前記受信デバイスに示す、請求項１に記載の方法。
【請求項３】
前記ビームインジケーション情報は、各受信ビームについての情報、または、各送信ビームについての情報を含む、請求項２に記載の方法。
【請求項４】
前記送信デバイスが、前記ビームインジケーション情報を前記受信デバイスへ送信する前記段階は、
前記送信デバイスが、準コロケーション情報（ＱＣＬ情報）を前記受信デバイスへ送信する段階
を含む、請求項１から３のいずれか一項に記載の方法。
【請求項５】
送信デバイスがビームインジケーション情報を決定する前記段階の後に、前記方法は更に、
前記送信デバイスが、前記送信ビームおよび／または受信ビームとトランスポート層との間の対応関係を決定する段階を備え、
前記送信デバイスが前記ビームインジケーション情報を前記受信デバイスへ送信する前記段階は、
前記送信デバイスが、前記ビームインジケーション情報、および、前記送信ビームおよび／または前記受信ビームとトランスポート層との間の前記対応関係を前記受信デバイスへ送信する段階を含む、
請求項１から４のいずれか一項に記載の方法。
【請求項６】
前記送信デバイスが、前記送信ビームおよび／または前記受信ビームとトランスポート層との間の対応関係を決定する前記段階は、
前記送信デバイスが、前記送信ビームおよび／または前記受信ビームとコードワードとの間の対応関係を決定する段階と、
前記送信デバイスが、前記コードワードと前記トランスポート層との間のマッピング関係を決定する段階と
を含み、
前記送信デバイスが、前記ビームインジケーション情報を前記受信デバイスへ送信する前記段階は、
前記送信デバイスが、前記ビームインジケーション情報、および、前記コードワードと前記トランスポート層との間の前記マッピング関係を前記受信デバイスへ送信する段階を含む、
請求項５に記載の方法。
【請求項７】
前記送信デバイスが、前記ビームインジケーション情報、および、前記コードワードと前記トランスポート層との間の前記マッピング関係を前記受信デバイスへ送信する前記段階は、
前記送信デバイスが、物理層インジケーションシグナリングを使用することによって、前記ビームインジケーション情報、および、前記コードワードと前記トランスポート層との間の前記マッピング関係を前記受信デバイスへ送信する段階を含み、
前記コードワードがマッピングされるトランスポート層の数を示すために、指定されたビット数の情報ビットが、前記物理層インジケーションシグナリングにおいて設定される、または、前記コードワードおよび前記トランスポート層のマッピングの組み合わせのインデックス値を示すために、特定の情報ビットが前記物理層インジケーションシグナリングにおいて設定される、請求項６に記載の方法。
【請求項８】
前記送信デバイスは、システムのトランスポート層の最大数に基づいて、前記指定されたビット数を決定する、または、
前記送信デバイスは、プロトコルにおいて規定される各コードワードのトランスポート層の最大数に基づいて、前記指定されたビット数を決定する、
請求項７に記載の方法。
【請求項９】
データ受信の方法であって、
受信デバイスが、送信デバイスからビームインジケーション情報を受信する段階と、
前記受信デバイスが、前記ビームインジケーション情報に従って、前記送信デバイスによって送信されるデータを受信するために使用される少なくとも１つの受信ビームを決定する段階と、
前記受信デバイスが、決定された前記少なくとも１つの受信ビームを使用することによって、前記送信デバイスによって送信される前記データを受信する段階と
を備える方法。
【請求項１０】
前記ビームインジケーション情報は、前記少なくとも１つの受信ビームについての情報を含み、
前記受信デバイスが、前記ビームインジケーション情報に従って、前記送信デバイスによって送信されるデータを受信するために使用される少なくとも１つの受信ビームを決定する前記段階は、
前記受信デバイスが、前記ビームインジケーション情報によって示される前記少なくとも１つの受信ビームについての前記情報に基づいて、前記送信デバイスによって送信される前記データを受信するために使用される前記少なくとも１つの受信ビームを決定する段階を含む、請求項９に記載の方法。
【請求項１１】
前記ビームインジケーション情報は、少なくとも１つの送信ビームについての情報を含み、
前記受信デバイスが前記ビームインジケーション情報に従って、前記送信デバイスによって送信されるデータを受信するために使用される少なくとも１つの受信ビームを決定する前記段階は、
前記受信デバイスが、前記ビームインジケーション情報によって示される前記少なくとも１つの送信ビームについての前記情報、および、送信ビームと受信ビームとの間の対応関係に基づいて、前記少なくとも１つの送信ビームについての前記情報に対応する少なくとも１つの受信ビームについての情報を決定する段階と、
前記受信デバイスが、前記少なくとも１つの送信ビームについての情報に対応する前記少なくとも１つの受信ビームについての前記情報に基づいて、前記送信デバイスによって送信される前記データを受信するために使用される前記少なくとも１つの受信ビームを決定する段階と
を含む、請求項９に記載の方法。
【請求項１２】
受信デバイスがビームインジケーション情報を送信デバイスから受信する前記段階は、
前記受信デバイスが、準コロケーション情報（ＱＣＬ情報）を前記送信デバイスから受信する段階と、
前記受信デバイスが、前記ＱＣＬ情報と前記ビームインジケーション情報との間の対応関係に基づいて前記ビームインジケーション情報を決定する段階を含む、請求項９から１１のいずれか一項に記載の方法。
【請求項１３】
受信デバイスがビームインジケーション情報を送信デバイスから受信する前記段階は、
前記受信デバイスが、前記ビームインジケーション情報、および、送信ビームおよび／または受信ビームとトランスポート層との間の対応関係を前記送信デバイスから受信する段階を含み、
前記受信デバイスが前記ビームインジケーション情報に従って、前記送信デバイスによって送信されるデータを受信するために使用される少なくとも１つの受信ビームを決定する前記段階は、
前記受信デバイスが、前記ビームインジケーション情報、および、送信ビームおよび／または受信ビームとトランスポート層との間の前記対応関係に従って、前記送信デバイスによって送信される前記データを受信するために使用される前記少なくとも１つの受信ビーム、および、前記少なくとも１つの受信ビームによって受信される必要があるデータストリームを決定する段階を含む、
請求項９から１２のいずれか一項に記載の方法。
【請求項１４】
受信デバイスが、ビームインジケーション情報を送信デバイスから受信する前記段階は、
前記受信デバイスが、前記ビームインジケーション情報、および、コードワードとトランスポート層との間のマッピング関係を前記送信デバイスから受信する段階を含み、
前記受信デバイスが、前記ビームインジケーション情報に従って、前記送信デバイスによって送信されるデータを受信するために使用される少なくとも１つの受信ビームを決定する前記段階は、
前記受信デバイスが、前記ビームインジケーション情報、および、前記コードワードと前記トランスポート層との間の前記マッピング関係に従って、前記送信デバイスによって送信される前記データを受信するために使用される前記少なくとも１つの受信ビーム、および、前記少なくとも１つの受信ビームによって受信される必要があるデータストリームを決定する段階を含む、
請求項９から１２のいずれか一項に記載の方法。
【請求項１５】
前記受信デバイスが、前記ビームインジケーション情報、および、コードワードとトランスポート層との間のマッピング関係を前記送信デバイスから受信する前記段階は、
前記受信デバイスが、物理層インジケーションシグナリングを使用することによって、前記ビームインジケーション情報、および、前記コードワードと前記トランスポート層との間の前記マッピング関係を前記送信デバイスから受信する段階を含み、
前記コードワードがマッピングされるトランスポート層の数を示すために、指定されたビット数の情報ビットは、前記物理層インジケーションシグナリングにおいて設定される、または、前記コードワードおよび前記トランスポート層のマッピングの組み合わせのインデックス値を示すために、特定の情報ビットが前記物理層インジケーションシグナリングにおいて設定される、請求項１４に記載の方法。
【請求項１６】
前記受信デバイスが、システムのトランスポート層の最大数、および、前記指定されたビット数の前記情報ビットに基づいて、前記コードワードがマッピングされる前記トランスポート層の数を決定する段階、または、
前記受信デバイスが、前記指定されたビット数の前記情報ビットに基づいて、プロトコルにおいて規定された各コードワードのトランスポート層の最大数を決定する段階、または、
前記受信デバイスが、前記特定の情報ビットに基づいて、前記コードワードおよび前記トランスポート層の前記マッピングの組み合わせの前記インデックス値を決定する段階
を更に備える、請求項１５に記載の方法。
【請求項１７】
請求項１から８のいずれか一項に記載の方法を実行するよう構成される機器。
【請求項１８】
請求項９から１２のいずれか一項に記載の方法を実行するよう構成される機器。
【請求項１９】
コンピュータプログラムであって、
コンピュータによって実行されるときに、前記コンピュータに、請求項１から８のいずれか一項に記載の方法、または、請求項９から１２のいずれか一項に記載の方法を実行させる命令を含む、
プログラム。
【請求項２０】
請求項１７に記載の少なくとも１つの機器および請求項１８に記載の少なくとも１つの機器を備える通信システム。
【手続補正２】
【補正対象書類名】明細書
【補正対象項目名】全文
【補正方法】変更
【補正の内容】
【発明の詳細な説明】
【技術分野】
【０００１】
本願は、２０１６年１２月３０日に出願された、「データ伝送方法、送信デバイスおよび受信デバイス」と題する中国特許出願第２０１６１１２６１９６４．７号に対する優先権を主張するものであり、これは、参照により全体が組み込まれる。
【０００２】
本発明の実施形態は、無線通信技術の分野に関し、特に、データ伝送方法、送信デバイスおよび受信デバイスに関する。
【背景技術】
【０００３】
ＬＴＥシステムにおいて、端のユーザのスループットを増加させるべく、マルチポイント伝送を含むマルチポイント協調伝送技術が導入されている。マルチポイント伝送の典型的な技術には、ジョイント伝送技術が含まれる。マルチポイント伝送技術、特にジョイント伝送技術は、セル間の情報交換の容量および速度によって制限されており、最適化されていない。５Ｇ新無線（５ｔｈ  ｇｅｎｅｒａｔｉｏｎ  ｎｅｗ  ｒａｄｉｏ、５Ｇ  ＮＲ）システムにおいて、セル間の情報交換の能力が改善されるにつれて（例えば、無線（ｏｖｅｒ−ｔｈｅ−ａｉｒ、ＯＴＡ）技術）、ジョイント伝送技術は更に最適化される必要がある。ジョイント伝送技術によれば、マルチビーム伝送シナリオについては、複数の基地局または局のデータは異なる方向から流れる。
【発明の概要】
【０００４】
本発明の実施形態は、５Ｇ  ＮＲシナリオにおいて、複数のビーム方向からデータを受信する端末の能力を改善するために、データ伝送方法、送信デバイス、受信デバイスを提供する。
【０００５】
第１態様によれば、データ伝送方法が提供される。
【０００６】
データ伝送方法は、複数のビームを含む無線通信システムに適用可能であり、送信デバイスが、データを受信デバイスへ送信するために使用される少なくとも１つの送信ビームおよびビームインジケーション情報を決定する段階と、送信デバイスが、ビームインジケーション情報を受信デバイスへ送信する段階と、送信デバイスが、少なくとも１つの送信ビームを使用することによってデータを送信する段階とを備える。
【０００７】
送信デバイスは、送信デバイスによって送信されるデータを受信するために使用される対応する受信ビームを受信デバイスに示すために、ビームインジケーション情報を送信し、その結果、受信デバイスは、データを受信するために好適な受信ビームを選択でき、それにより、受信の信号対干渉＋雑音比を改善する。
【０００８】
第１態様に関連して、第１態様の第１の可能な実装において、ビームインジケーション情報は、データを受信するために使用される各受信ビームを受信デバイスに示す。
【０００９】
送信デバイスは、ビームインジケーション情報を送信して、データを受信するために使用される各受信ビームを受信デバイスに示し、その結果、受信デバイスは、データを受信するために好適な受信ビームを選択でき、それにより、受信の信号対干渉＋雑音比を改善する。
【００１０】
第１態様または第１態様の第１の可能な実装に関連して、第１態様の第２の可能な実装において、ビームインジケーション情報は、受信ビームの各々についての情報、または、送信ビームの各々についての情報を含む。
【００１１】
受信ビームについての情報は、受信デバイスが、データを受信するために使用される受信ビームを直接認識することを可能にし得て、送信ビームについての情報は、受信デバイスが、データを受信するために使用される受信ビームを間接的に認識することを可能にし得る。
【００１２】
第１態様に関連して、第１態様の第３の可能な実装において、ビームインジケーション情報は、１層シグナリング構造または２層シグナリング構造の情報である。１層シグナリング構造は、送信ビームまたは受信ビームのインデックス値を示すために使用される物理層インジケーションシグナリングを含む。２層シグナリング構造は、データリンク層インジケーションシグナリングおよび物理層インジケーションシグナリングを含む。データリンク層インジケーションシグナリングは、送信デバイスによって使用されるビームセットを示すために使用され、物理層インジケーションシグナリングは、送信デバイスによって使用されるビームセットにおけるビームを示すために使用される。
【００１３】
ビームインジケーション情報は、異なる構造のシグナリングを使用することによって送信され、その結果、ビームインジケーション情報は、受信デバイスに動的に示され得る。
【００１４】
第１態様、または、第１態様の第１の可能な実装から第３の可能な実装のいずれか１つに関連して、第１態様の第４の可能な実装において、送信デバイスがビームインジケーション情報を受信デバイスへ送信することは、送信デバイスが準コロケーション（Ｑｕａｓｉ−Ｃｏ−Ｌｏｃａｔｉｏｎ、ＱＣＬ）情報を受信デバイスへ送信することを含む。
【００１５】
第１態様、または、第１態様の第１の可能な実装から第４の可能な実装のいずれか１つに関連して、第１態様の第５の可能な実装において、送信デバイスがビームインジケーション情報を決定した後に、方法は更に、送信デバイスが、送信ビームおよび／または受信ビームとトランスポート層との間の対応関係を決定する段階を備える。送信デバイスがビームインジケーション情報を受信デバイスへ送信することは、送信デバイスがビームインジケーション情報および対応関係を受信デバイスへ送信することを含む。
【００１６】
送信デバイスは、送信デバイスによって送信されるデータを受信するために使用される対応する受信ビームを受信デバイスへ示し、各受信ビームによって受信された対応するトランスポートストリームを受信デバイスに示すために、送信ビームおよび／または受信ビームとトランスポート層との間の対応関係、および、ビームインジケーション情報を送信し、その結果、受信デバイスは、受信ビームを使用することによって受信されたデータ信号の電力強度を区別し得て、受信デバイスは、トランスポート層の間の電力差を使用して信号干渉を除去する。このことは、データを複数のビーム方向から受信する受信デバイスの能力を増加させ、それにより、受信デバイスの信号受信の信号対雑音比を増加させる。
【００１７】
第１態様、または、第１態様の第５の可能な実装に関連して、第１態様の第６の可能な実装において、送信デバイスが、ビームインジケーション情報、および、送信ビームおよび／または受信ビームとトランスポート層との間の対応関係を受信デバイスへ送信することは、送信デバイスが、物理層インジケーションシグナリングを使用することによって、ビームインジケーション情報、および、送信ビームおよび／または受信ビームとトランスポート層との間の対応関係を受信デバイスへ送信することを含む。
【００１８】
第１態様、または、第１態様の第５の可能な実装に関連して、第１態様の第７の可能な実装において、送信デバイスが、送信ビームおよび／または受信ビームとトランスポート層との間の対応関係を決定することは、送信デバイスが、送信ビームおよび／または受信ビームとコードワードとの間の対応関係を決定すること、ならびに、送信デバイスが、コードワードとトランスポート層との間のマッピング関係を決定することを含む。送信デバイスがビームインジケーション情報を受信デバイスへ送信することは、送信デバイスが、ビームインジケーション情報、および、コードワードとトランスポート層との間のマッピング関係を受信デバイスへ送信することを含む。
【００１９】
送信デバイスは、送信デバイスによって送信されるデータを受信するために使用される対応する受信ビームを受信デバイスに示し、コードワードに対応するトランスポート層を示すために、ビームインジケーション情報、および、コードワードとトランスポート層との間のマッピング関係を送信し、その結果、受信デバイスは更に、複数コードワード間の干渉を除去する能力を改善するために、トランスポート層間の電力差を使用し、それにより、データを複数のビーム方向から受信する受信デバイスの能力を増加させる。
【００２０】
第１態様、または、第１態様の第７の可能な実装に関連して、第１態様の第８の可能な実装において、送信デバイスが、ビームインジケーション情報、および、コードワードとトランスポート層との間のマッピング関係を受信デバイスへ送信する段階は、送信デバイスが、物理層インジケーションシグナリングを使用することによって、ビームインジケーション情報、および、コードワードとトランスポート層との間のマッピング関係を受信デバイスへ送信する段階を含み、コードワードがマッピングされるトランスポート層の数を示すために、指定されたビット数の情報ビットが、物理層インジケーションシグナリングにおいて設定される、または、コードワードおよびトランスポート層のマッピングの組み合わせのインデックス値を示すために、特定の情報ビットが物理層インジケーションシグナリングにおいて設定される。
【００２１】
ビームインジケーション情報、および、コードワードとトランスポート層との間のマッピング関係は、物理層インジケーションシグナリングを使用することによって送信され、その結果、ビームインジケーション情報は、受信デバイスに動的に示され得る。
【００２２】
第１態様、または、第１態様の第８の可能な実装に関連して、第１態様の第９の可能な実装において、送信デバイスは、システムのトランスポート層の最大数に基づいて、指定されたビット数を決定する、または、送信デバイスは、プロトコルにおいて規定される各コードワードのトランスポート層の最大数に基づいて、指定されたビット数を決定する。
【００２３】
第２態様によれば、データ伝送方法が提供されている。
【００２４】
データ伝送方法は、複数のビームを含む無線通信システムに適用可能であり、受信デバイスが、送信デバイスからビームインジケーション情報を受信する段階と、受信デバイスが、ビームインジケーション情報に従って、送信デバイスによって送信されるデータを受信するために使用される少なくとも１つの受信ビームを決定する段階と、受信デバイスが、決定された少なくとも１つの受信ビームを使用することによって、送信デバイスによって送信されるデータを受信する段階とを備える。
【００２５】
受信デバイスは、送信デバイスによって送信されるビームインジケーション情報に従って、送信デバイスによって送信されるデータを受信するために使用される受信ビームを決定し得て、その結果、受信デバイスは、受信ビームを使用することによって受信されたデータ信号の電力強度を区別し得て、受信デバイスは、トランスポート層の間の電力差を使用して信号干渉を除去する。このことは、データを複数のビーム方向から受信する受信デバイスの能力を増加させ、それにより、受信デバイスの信号受信の信号対雑音比を増加させる。
【００２６】
第２態様に関連して、第２態様の第１の可能な実装において、ビームインジケーション情報は、少なくとも１つの受信ビームについての情報を含み、受信デバイスが、ビームインジケーション情報に従って、送信デバイスによって送信されるデータを受信するために使用される少なくとも１つの受信ビームを決定することは、受信デバイスが、ビームインジケーション情報によって示される少なくとも１つの受信ビームについての情報に基づいて、送信デバイスによって送信されるデータを受信するために使用される少なくとも１つの受信ビームを決定することを含む。
【００２７】
第２態様に関連して、第２態様の第２の可能な実装において、ビームインジケーション情報は、少なくとも１つの送信ビームについての情報を含む。受信デバイスがビームインジケーション情報に従って、送信デバイスによって送信されるデータを受信するために使用される少なくとも１つの受信ビームを決定する段階は、受信デバイスが、ビームインジケーション情報によって示される少なくとも１つの送信ビームについての情報、および、送信ビームと受信ビームとの間の対応関係に基づいて、少なくとも１つの送信ビームについての情報に対応する少なくとも１つの受信ビームについての情報を決定する段階と、受信デバイスが、少なくとも１つの送信ビームについての情報に対応する少なくとも１つの受信ビームについての情報に基づいて、送信デバイスによって送信されるデータを受信するために使用される少なくとも１つの受信ビームを決定する段階とを含む。
【００２８】
第２態様、または、第２態様の第１の可能な実装もしくは第２の可能な実装に関連して、第２態様の第３の可能な実装において、受信デバイスがビームインジケーション情報を送信デバイスから受信することは、受信デバイスが、ＱＣＬ情報を送信デバイスから受信すること、および、受信デバイスが、ＱＣＬ情報とビームインジケーション情報との間の対応関係に基づいてビームインジケーション情報を決定することを含む。
【００２９】
第２態様、または、第２態様の第１の可能な実装から第３の可能な実装のいずれか１つに関連して、第２態様の第４の可能な実装において、受信デバイスがビームインジケーション情報を送信デバイスから受信することは、受信デバイスが、ビームインジケーション情報、および、送信ビームおよび／または受信ビームとトランスポート層との間の対応関係を送信デバイスから受信することを含む。受信デバイスが、ビームインジケーション情報に従って、送信デバイスによって送信されるデータを受信するために使用される少なくとも１つの受信ビームを決定することは、受信デバイスが、ビームインジケーション情報、および、送信ビームおよび／または受信ビームとトランスポート層との間の対応関係に従って、送信デバイスによって送信されるデータを受信するために使用される少なくとも１つの受信ビーム、および、少なくとも１つの受信ビームによって受信される必要があるトランスポートストリームを決定することを含む。
【００３０】
第２態様、または、第２態様の第１の可能な実装から第３の可能な実装のいずれか１つに関連して、第２態様の第５の可能な実装において、受信デバイスが、ビームインジケーション情報を送信デバイスから受信することは、受信デバイスが、ビームインジケーション情報、および、コードワードとトランスポート層との間のマッピング関係を送信デバイスから受信することを含む。受信デバイスが、ビームインジケーション情報に従って、送信デバイスによって送信されるデータを受信するために使用される少なくとも１つの受信ビームを決定することは、受信デバイスが、ビームインジケーション情報、および、コードワードとトランスポート層との間のマッピング関係に従って、送信デバイスによって送信されるデータを受信するために使用される少なくとも１つの受信ビーム、および、少なくとも１つの受信ビームによって受信される必要があるトランスポートストリームを決定することを含む。
【００３１】
第２態様、または、第２態様の第５の可能な実装に関連して、第２態様の第６の可能な実装において、受信デバイスが、ビームインジケーション情報、および、コードワードとトランスポート層との間のマッピング関係を送信デバイスから受信する段階は、受信デバイスが、物理層インジケーションシグナリングを使用することによって、ビームインジケーション情報、および、コードワードとトランスポート層との間のマッピング関係を送信デバイスから受信する段階を含み、コードワードがマッピングされるトランスポート層の数を示すために、指定されたビット数の情報ビットは、物理層インジケーションシグナリングに設定される、または、コードワードおよびトランスポート層のマッピングの組み合わせのインデックス値を示すために、特定の情報ビットが物理層インジケーションシグナリングに設定される。
【００３２】
第２態様、または、第２態様の第６の可能な実装に関連して、第２態様の第７の可能な実装において、当該方法は、受信デバイスが、システムのトランスポート層の最大数、および、指定されたビット数の情報ビットに基づいて、コードワードがマッピングされるトランスポート層の数を決定する段階、または、受信デバイスが、指定されたビット数の情報ビットに基づいて、プロトコルにおいて規定された各コードワードのトランスポート層の最大数を決定する段階、または、受信デバイスが、特定の情報ビットに基づいて、コードワードおよびトランスポート層のマッピングの組み合わせのインデックス値を決定する段階を更に備える。
【００３３】
第３態様によれば、送信デバイスが提供される。
【００３４】
送信デバイスは、複数のビームを含む無線通信システムに適用可能であり、データを受信デバイスへ送信するために使用される少なくとも１つの送信ビーム、および、ビームインジケーション情報を決定するよう構成される処理ユニットと、ビームインジケーション情報を受信デバイスへ送信するよう、および、少なくとも１つの送信ビームを使用することによってデータを送信するよう構成される送受信ユニットとを備える。
【００３５】
第３態様に関連して、第３態様の第１の可能な実装において、ビームインジケーション情報は、データを受信するために使用される各受信ビームを受信デバイスに示す。
【００３６】
第３態様または第３態様の第１の可能な実装に関連して、第３態様の第２の可能な実装において、ビームインジケーション情報は、受信ビームの各々についての情報、または、送信ビームの各々についての情報を含む。
【００３７】
第３態様、または、第３態様の第１の可能な実装または第２の可能な実装のいずれか１つに関連して、第３態様の第３の可能な実装において、送受信ユニットは具体的には、ＱＣＬ情報を受信デバイスへ送信するよう構成される。
【００３８】
第３態様、または、第３態様の第１の可能な実装から第３の可能な実装のいずれか１つに関連して、第３態様の第４の可能な実装において、処理ユニットは更に、ビームインジケーション情報を決定した後に、送信ビームおよび／または受信ビームとトランスポート層との間の対応関係を決定するよう構成される。送受信ユニットは具体的には、ビームインジケーション情報および対応関係を受信デバイスへ送信するよう構成される。
【００３９】
第３態様または第３態様の第４の可能な実装に関連して、第３態様の第５の可能な実装において、処理ユニットは具体的には、送信ビームおよび／または受信ビームとコードワードとの間の対応関係を決定し、コードワードとトランスポート層との間のマッピング関係を決定するよう構成される。送受信ユニットは具体的には、ビームインジケーション情報、および、コードワードとトランスポート層との間のマッピング関係を受信デバイスへ送信するよう構成される。
【００４０】
第３態様、または、第３態様の第５の可能な実装に関連して、第３態様の第６の可能な実装において、送受信ユニットは具体的には、物理層インジケーションシグナリングを使用することによって、ビームインジケーション情報、および、コードワードとトランスポート層との間のマッピング関係を受信デバイスへ送信するよう構成され、コードワードがマッピングされるトランスポート層の数を示すために、指定されたビット数の情報ビットが、物理層インジケーションシグナリングに設定される、または、コードワードおよびトランスポート層のマッピングの組み合わせのインデックス値を示すために、特定の情報ビットが物理層インジケーションシグナリングに設定される。
【００４１】
第３態様、または、第３態様の第６の可能な実装に関連して、第３態様の第７の可能な実装において、処理ユニットは具体的には、システムのトランスポート層の最大数に基づいて、指定されたビット数を決定する、または、プロトコルにおいて規定される各コードワードのトランスポート層の最大数に基づいて、指定されたビット数を決定するよう構成される。
【００４２】
第４態様によれば、受信デバイスが提供される。
【００４３】
受信デバイスは、複数のビームを含む無線通信システムに適用可能であり、ビームインジケーション情報を送信デバイスから受信するよう構成される送受信ユニットと、ビームインジケーション情報に従って、送信デバイスによって送信されるデータを受信するために使用される少なくとも１つの受信ビームを決定するよう構成される処理ユニットとを備え、送受信ユニットは更に、決定された少なくとも１つの受信ビームを使用することによって、送信デバイスによって送信されるデータを受信するよう構成される。
【００４４】
第４態様に関連して、第４態様の第１の可能な実装において、ビームインジケーション情報は、少なくとも１つの受信ビームについての情報を含み、処理ユニットは具体的には、ビームインジケーション情報によって示される少なくとも１つの受信ビームについての情報に基づいて、送信デバイスによって送信されるデータを受信するために使用される少なくとも１つの受信ビームを決定するよう構成される。
【００４５】
第４態様に関連して、第４態様の第２の可能な実装において、ビームインジケーション情報は、少なくとも１つの送信ビームについての情報を含み、処理ユニットは具体的には、ビームインジケーション情報によって示される少なくとも１つの送信ビームについての情報、および、送信ビームと受信ビームとの間の対応関係に基づいて、少なくとも１つの送信ビームについての情報に対応する少なくとも１つの受信ビームについての情報を決定し、少なくとも１つの送信ビームについての情報に対応する少なくとも１つの受信ビームについての情報に基づいて、送信デバイスによって送信されるデータを受信するために使用される少なくとも１つの受信ビームを決定するよう構成される。
【００４６】
第４態様、または、第４態様の第１の可能な実装または第２の可能な実装に関連して、第４態様の第３の可能な実装において、送受信ユニットは具体的には、ＱＣＬ情報を送信デバイスから受信し、処理ユニットを使用することによって、ＱＣＬ情報とビームインジケーション情報との間の対応関係に基づいてビームインジケーション情報を決定するよう構成される。
【００４７】
第４態様、または、第４態様の第１の可能な実装から第３の可能な実装のいずれか１つに関連して、第４態様の第４の可能な実装において、送受信ユニットは具体的には、ビームインジケーション情報、および、送信ビームおよび／または受信ビームとトランスポート層との間の対応関係を送信デバイスから受信するよう構成される。処理ユニットは具体的には、ビームインジケーション情報、および、送信ビームおよび／または受信ビームとトランスポート層との間の対応関係に従って、送信デバイスによって送信されるデータを受信するために使用される少なくとも１つの受信ビーム、および、少なくとも１つの受信ビームによって受信される必要があるトランスポートストリームを決定するよう構成される。
【００４８】
第４態様、または、第４態様の第１の可能な実装から第３の可能な実装のいずれか１つに関連して、第４態様の第５の可能な実装において、送受信ユニットは具体的には、ビームインジケーション情報、および、コードワードとトランスポート層との間のマッピング関係を送信デバイスから受信するよう構成される。処理ユニットは具体的には、ビームインジケーション情報、および、コードワードとトランスポート層との間のマッピング関係に従って、送信デバイスによって送信されるデータを受信するために使用される少なくとも１つの受信ビーム、および、少なくとも１つの受信ビームによって受信される必要があるトランスポートストリームを決定するよう構成される。
【００４９】
第４態様、または、第４態様の第５の可能な実装に関連して、第４態様の第６の可能な実装において、送受信ユニットは具体的には、物理層インジケーションシグナリングを使用することによって、ビームインジケーション情報、および、コードワードとトランスポート層との間のマッピング関係を送信デバイスから受信するよう構成され、コードワードがマッピングされるトランスポート層の数を示すために、指定されたビット数の情報ビットが物理層インジケーションシグナリングに設定される、または、コードワードおよびトランスポート層のマッピングの組み合わせのインデックス値を示すために、特定の情報ビットが物理層インジケーションシグナリングに設定される。
【００５０】
第４態様、または、第４態様の第６の可能な実装に関連して、第４態様第７の可能な実装において、処理ユニットは更に、システムのトランスポート層の最大数、および、指定されたビット数の情報ビットに基づいて、コードワードがマッピングされるトランスポート層の数を決定する、または、指定されたビット数の情報ビットに基づいて、プロトコルにおいて規定される各コードワードのトランスポート層の最大数を決定する、または、特定の情報ビットに基づいて、コードワードおよびトランスポート層のマッピングの組み合わせのインデックス値を決定するよう構成される。
【００５１】
第５態様によれば、送受信機およびプロセッサを備える送信デバイスが提供される。プロセッサは、第１態様、または、第１態様の実装のいずれか１つに係る方法を実行するよう構成される。
【００５２】
第６態様によれば、送受信機およびプロセッサを備える受信デバイスが提供される。プロセッサは、第２態様、または、第２態様の実装のいずれか１つに係る方法を実行するよう構成される。
【００５３】
第７態様によれば、第５態様において提供されるプロセッサによって実行されるコンピュータソフトウェア命令を記憶するよう構成されるコンピュータ記憶媒体が提供され、これにより、第１態様、または、第１態様の可能な実装に係る方法を実行する。
【００５４】
第８態様によれば、第６態様において提供されるプロセッサによって実行されるコンピュータソフトウェア命令を記憶するよう構成されるコンピュータ記憶媒体が提供され、これにより、第２態様、または、第２態様の可能な実装に係る方法を実行する。
【図面の簡単な説明】
【００５５】
【図１】本発明の実施形態に係るシステムアーキテクチャの概略図である。
【００５６】
【図２】本発明の実施形態に係るデータ伝送方法である。
【００５７】
【図３】本発明の実施形態に係るマルチポイントジョイント伝送のシナリオの概略図である。
【００５８】
【図４】本発明の実施形態に係るマルチポイントジョイント伝送のシナリオの概略図である。
【００５９】
【図５】本発明の実施形態に係る送信デバイスの概略構造図である。
【００６０】
【図６】本発明の実施形態に係る受信デバイスの概略構造図である。
【００６１】
【図７】本発明の実施形態に係る送信デバイスの概略構造図である。
【００６２】
【図８】本発明の実施形態に係る受信デバイスの概略構造図である。
【発明を実施するための形態】
【００６３】
本発明の目的、技術的解決手段、および利点をより明確にするために、以下では更に、添付図面を参照して本発明を詳細に説明する。
【００６４】
図１は、本発明の実施形態が適用可能なシステムアーキテクチャを示す。データ伝送手順は、システムアーキテクチャに基づいて制御されることができる。本発明の本実施形態において提供されるデータ伝送のためのシステムアーキテクチャは、複数の送信デバイス１０１および受信デバイス１０２を備える。
【００６５】
送信デバイス１０１は、基地局、または、基地局によって管理される局であり得る。受信デバイス１０２はモバイル端末であり得る。複数のビームを含む無線通信システムにおいて、複数の送信デバイス１０１は、ジョイント伝送技術および複数のビームを使用することによって、受信デバイス１０２へデータを送信し得る。
【００６６】
本発明の本実施形態において、複数のビームは、１つの送信デバイス１０１における複数のビームであり得る、または、複数の送信デバイス１０１における複数のビームであり得る。例えば、第１送信デバイス１０１は、１つのビームを使用し得て、第２送信デバイス１０１は、２つのビームを使用し得て、これに対応して、受信デバイス１０２は、２つの送信デバイス１０１によって送信されるデータを受信するために３つのビームを使用する必要がある。
【００６７】
複数の送信デバイス１０１がジョイント伝送技術を使用するとき、複数の送信デバイス１０１の主デバイスは、データ伝送に使用されるビームを割り当てること、および、各送信デバイス１０１にビームを通知することを担当し、その結果、各送信デバイス１０１は、データ伝送を実装するために送信デバイス１０１によって使用されることができるビームを認識する。
【００６８】
上述の説明に基づいて、図２は、本発明の実施形態に係るデータ伝送方法の手順の例を示す。当該手順は、複数のビームを含む無線通信システムに適用可能である。
【００６９】
図２に示されるように、手順は、以下の具体的段階を含む。
【００７０】
段階２０１：送信デバイスが、データを受信デバイスへ送信するために使用される少なくとも１つの送信ビーム、および、ビームインジケーション情報を決定する。
【００７１】
段階２０２：送信デバイスが、ビームインジケーション情報を受信デバイスへ送信する。
【００７２】
段階２０３：送信デバイスが、少なくとも１つの送信ビームを使用することによってデータを送信する。
【００７３】
段階２０４：受信デバイスが、ビームインジケーション情報を送信デバイスから受信し、ビームインジケーション情報に従って、送信デバイスによって送信されるデータを受信するために使用される少なくとも１つの受信ビームを決定する。
【００７４】
段階２０５：受信デバイスが、決定された少なくとも１つの受信ビームを使用することによって、送信デバイスによって送信されるデータを受信する。
【００７５】
本発明の本実施形態において、データを受信デバイスへ送信するとき、送信デバイスは、データを受信デバイスへ送信するために使用される少なくとも１つの送信ビームをまず決定する必要がある。使用される少なくとも１つの送信ビームは、既存の一般的技術を使用することによって決定される。これは、本発明の本実施形態において更に説明されない。
【００７６】
データを受信デバイスへ送信するために使用される少なくとも１つの送信ビームが決定されるとき、ビームインジケーション情報も決定される必要がある。ビームインジケーション情報は、データの受信に使用される各受信ビームを受信デバイスに示し得る。
【００７７】
具体的には、ビームインジケーション情報は、各受信ビームについての情報であり得る。各受信ビームについての情報は、データを受信するために使用される各受信ビームを決定するよう受信デバイスに命令し得る。ビームインジケーション情報は代替的に、各送信ビームについての情報であり得る。各送信ビームについての情報は、データを受信するために使用される受信ビームを決定するよう受信デバイスに命令し得る。
【００７８】
各受信ビームについての情報、または、各送信ビームについての情報が示され、その結果、受信デバイスは、受信されたデータ信号のうち電力が最も強いものを使用することによって、受信ビームを認識でき、大きい電力差の利点を使用して、反復的な干渉除去を強化し、それにより、データを複数のビーム方向から受信する受信デバイスの能力を増加させる。
【００７９】
任意選択的に、ビームインジケーション情報は、１層シグナリング構造または２層シグナリング構造であり得る。１層シグナリング構造であるとき、ビームインジケーション情報は、物理層インジケーションシグナリングであり得て、送信ビームおよび／または受信ビームのインデックス値は、物理層インジケーションシグナリングを使用することによって示される。２層シグナリング構造であるとき、ビームインジケーション情報は、データリンク層インジケーションシグナリングおよび物理層インジケーションシグナリングの組み合わせであり得て、送信ビームセットおよび／または受信ビームセットは、データリンク層インジケーションシグナリングを使用することによって示され、送信ビームセットまたは受信ビームセットにおける送信ビームおよび／または受信ビームは、物理層インジケーションシグナリングを使用することによって示される。
【００８０】
送信デバイスがビームインジケーション情報を決定するとき、送信デバイスは、送信ビームおよび／または受信ビームとトランスポート層との間の対応関係を決定する必要もあり、その結果、受信デバイスは、データを受信するとき、受信ビームを使用することによって受信されるトランスポート層を認識する。送信ビームおよび／または受信ビームは、１または複数のトランスポート層に対応し得る。これは、本発明の本実施形態において限定されるものではない。
【００８１】
送信デバイスは、ビームインジケーション情報、および、送信ビームおよび／または受信ビームとトランスポート層との間の決定された対応関係を受信デバイスへ送信し得る。送信デバイスは、物理層インジケーションシグナリングを使用することによって、ビームインジケーション情報、および、送信ビームおよび／または受信ビームとトランスポート層との間の対応関係を受信デバイスへ送信する。ビームインジケーション情報、および、送信ビームおよび／または受信ビームとトランスポート層との間の決定された対応関係は、１つのシグナリングにおいて、同一の情報フィールド、または、２つの異なる情報フィールドにおいて示され得る。
【００８２】
例えば、図３におけるマルチポイントジョイント伝送シナリオにおいて、局ＢＳ１および局ＢＳ２は、データを端末ＵＥ１へジョイント送信する。局ＢＳ１は、送信ビーム１を使用することによって、データを端末ＵＥ１へ送信し、局ＢＳ２は、送信ビーム２を使用することによって、データを端末ＵＥ１へ送信する。
【００８３】
ビームインジケーション情報、および、送信ビームおよび／または受信ビームとトランスポート層との間の対応関係が同一の情報フィールドにあるとき、インジケーション方式は、表１に示されるものであり得る。  ［表１］
【表１】
2020503772.tif 000013
【００８４】
すなわち、受信ビームによって受信されたすべてのトランスポート層は、１つずつ列挙される。
【００８５】
ビームインジケーション情報、および、送信ビームおよび／または受信ビームとトランスポート層との間の対応関係が異なる情報フィールドにあるとき、１つの情報フィールドにおけるビームインジケーション情報の配置方式は、表２に示されるようなものであり得る。  ［表２］
【表２】
2020503772.tif 000014
【００８６】
情報フィールドにおいて、使用される受信ビームのみが示され、受信ビームによって受信されるトランスポート層は示されない。
【００８７】
送信ビームおよび／または受信ビームとトランスポート層との間の対応関係は、別の情報フィールドに配置され得て、受信ビーム１：３であり得て、最初の３つのトランスポート層はすべて、１つの受信ビームによって受信されることを示す。受信ビーム２：１は、第４、すなわち、第（３＋１）のトランスポート層が受信ビーム２によって受信されることを示す。
【００８８】
更に、送信ビームおよび／または受信ビームとトランスポート層との間の対応関係を決定するとき、送信デバイスはまず、送信ビームおよび／または受信ビームとコードワードとの間の対応関係を決定し、コードワードとトランスポート層との間のマッピング関係を決定し、次に、ビームインジケーション情報、および、コードワードとトランスポート層との間のマッピング関係を受信デバイスへ送信し得る。
【００８９】
送信デバイスは、送信デバイスによって送信されるデータを受信するために使用される対応する受信ビームを受信デバイスに示し、コードワードに対応するトランスポート層を示すために、ビームインジケーション情報、および、コードワードとトランスポート層との間のマッピング関係を送信し、その結果、受信デバイスは更に、複数コードワード間の干渉を除去する能力を改善するために、トランスポート層間の電力差を使用し、それにより、データを複数のビーム方向から受信する受信デバイスの能力を増加させる。
【００９０】
図３に示されるシナリオにおいて、局ＢＳ１によって送信される信号Ｓ１、Ｓ２、Ｓ３は、コードワード１に対応し、局ＢＳ２によって送信される信号Ｓ４は、コードワード２に対応する。各コードワードにおける受信ビームについての情報は各情報フィールドに示される。
【００９１】
ビームインジケーション情報、および、コードワードとトランスポート層との間のマッピング関係は、物理層インジケーションシグナリングを使用することによって、受信デバイスへ送信され得て、コードワードがマッピングされるトランスポート層の数を示すために、指定されたビット数の情報ビットは、物理層インジケーションシグナリングに設定される。具体的には、送信デバイスは、システムのトランスポート層の最大数に基づいて、指定されたビット数を決定し得る。
【００９２】
例えば、Ｍは、現在のシステムのトランスポート層の最大数であり、各コードワードがマッピングされるトランスポート層の数を示すために、指定されたビット数は、ｌｏｇ２（Ｍ）を使用することによって、Ｍの値に基づいて決定される。
【００９３】
代替的に、各コードワードがマッピングされるトランスポート層の数を示すために、指定されたビット数は、プロトコルにおいて規定される各コードワードのトランスポート層の最大数に基づいて決定され得る。例えば、１つのコードワードは、動的に１または２つの層に対応し、その結果、各コードワードは、コードワードがマッピングされるトランスポート層の数を示すために、１つの情報ビットだけを必要とする。
【００９４】
代替的に、コードワードおよびトランスポート層のマッピングの組み合わせのインデックス値を示すために、特定の情報ビットは、物理層インジケーションシグナリングにおいて設定され得る。例えば、２つのコードワードがあり、かつ、各コードワードが最大で２つのトランスポート層にマッピングされるとき、コードワードおよびトランスポート層のマッピングの組み合わせはそれぞれ、｛１，１｝、｛１，２｝、｛２，１｝および｛２，２｝である。したがって、４つケースを示すために２つの特定の情報ビットが使用され得る。コードワードとトランスポート層との間の現在のマッピング関係が｛１，２｝であるとき、特定の情報ビットは０１である。
【００９５】
コードワードおよびトランスポート層の動的マッピング技術を使用することによって、異なるビーム方向からのデータが異なるコードワードの様々なトランスポート層に対応するケースが柔軟にサポートされ得る。
【００９６】
任意選択的に、ビームインジケーション情報を受信デバイスへ送信するとき、送信デバイスは暗黙的に、ビームインジケーション情報を受信デバイスに示し得る。具体的に、送信デバイスは、ＱＣＬ情報を受信デバイスへ送信し得て、受信デバイスは、ＱＣＬ情報とビームインジケーション情報との間の対応関係に基づいて、データを受信するために使用される受信ビームを決定し得る。
【００９７】
上記の実施形態において、送信デバイスは、送信デバイスによって送信されるデータを受信するために使用される対応する受信ビームを受信デバイスに示すために、ビームインジケーション情報を送信し、その結果、受信デバイスは、データを受信するために好適な受信ビームを選択でき、それにより、受信の信号対干渉＋雑音比を改善する。
【００９８】
上記の実施形態に基づいて、受信デバイスは、示された受信ビームを使用することによって、強い信号電力を有する受信ビームを識別し得る。これは主に以下の方式を含む。
【００９９】
方式１：異なるビーム受信方向が異なるコードワードに対応することを示し、各ビーム方向における高い信頼性レベル（より高い受信電力）を有するコードワードを識別し、当該コードワードを優先的に試験する。
【０１００】
方式２：異なるビーム受信方向が異なるコードワードに対応することを示し、各ビーム方向における高い信頼性レベル（より高い受信電力）を有するコードワードを識別し、当該コードワードを優先的に試験し、次に、低い信頼性レベルを有するコードワードを試験し、高い信頼性レベルを有するコードワードを干渉として除去する。
【０１０１】
方式３：異なるビーム受信方向が異なるコードワードに対応することを示し、各ビーム方向における高い信頼性レベル（より高い受信電力）を有するコードワードを識別し、当該コードワードを優先的に試験し、次に、試験結果を別のビームに代入し、試験結果を干渉として除去し、これにより、所望の信号の試験効果を更に改善する。
【０１０２】
図４のシナリオにおいて、伝送モデルは、Ｙ＝Ｈ１Ｖ１Ｓ１＋Ｈ２Ｖ２Ｓ２＋Ｉｎｔｅｒ＋ｎｏｉｓｅである。このケースでは、信号試験を実行するために、以下の方式が受信デバイスによって使用され得る。
【０１０３】
まず、図４に示されるように、受信デバイスは、ビームインジケーション情報に従って、受信ビーム１を使用してＳ１を受信し（Ｓ２は干渉として使用される）、受信ビーム２を使用してＳ２を受信する（Ｓ１は干渉として使用される）。
【０１０４】
方式１は以下の通りである。
【０１０５】
受信ビーム１は、ビームインジケーション情報に従って、Ｓ１を受信し、Ｓ１は強い信号として優先的に試験される。次に、試験後、Ｓ１が既知の干渉として除去された後に、Ｓ２が試験される。次に、Ｓ２が干渉として除去された後、Ｓ１が再度試験される。干渉Ｓ２が除去されるので、試験されるＳ１の試験正確率が再度増加する。受信ビーム２はＳ２を受信し、Ｓ２は強い信号として優先的に試験される。次に、試験後、Ｓ２が既知の干渉として除去された後に、Ｓ１が試験される。次に、Ｓ１が干渉として除去された後に、Ｓ２が再度試験される。干渉Ｓ１が除去されるので、試験されるＳ２の試験正確率が再度増加する。
【０１０６】
方式２は以下の通りである。
【０１０７】
受信ビーム１は、ビームインジケーション情報に従って、Ｓ１を受信し、Ｓ１'は試験によって取得され、受信ビーム２はＳ２を受信し、Ｓ２'は試験によって取得される。Ｓ２'は受信ビーム１の受信モデルに代入されて干渉として除去され、次にＳ１が試験される。同様に、Ｓ１'は受信ビーム２の受信モデルに代入されて干渉として除去され、次にＳ２が試験される。
【０１０８】
これに対応して、ビームインジケーション情報を送信デバイスから受信するとき、受信デバイスは、ビームインジケーション情報に従って、送信デバイスによって送信されるデータを受信するために使用される少なくとも１つの受信ビームを決定する必要がある。ビームインジケーション情報が、少なくとも１つの受信ビームについての情報を含むとき、受信デバイスは、ビームインジケーション情報によって示される少なくとも１つの受信ビームについての情報に基づいて、送信デバイスによって送信されるデータを受信するために使用される少なくとも１つの受信ビームを決定する。
【０１０９】
ビームインジケーション情報が少なくとも１つの送信ビームについての情報を含むとき、受信デバイスは、ビームインジケーション情報によって示される少なくとも１つの送信ビームについての情報、および、送信ビームと受信ビームとの間の対応関係に基づいて、少なくとも１つの送信ビームについての情報に対応する少なくとも１つの受信ビームについての情報を決定する必要がある。送信ビームと受信ビームとの間の対応関係が事前に認識され、受信デバイスは、使用されているときに、送信ビームと受信ビームとの間の対応関係を検索し得る。次に、受信デバイスは、少なくとも１つの送信ビームについての情報に対応する少なくとも１つの受信ビームについての情報に基づいて、送信デバイスによって送信されるデータを受信するために使用される少なくとも１つの受信ビームを決定する。例えば、ビームインジケーション情報は、送信ビーム１および送信ビーム２を含み、送信ビームと受信ビームとの間の対応関係を検索するとき、受信デバイスは、送信ビーム１が受信ビームａに対応し、送信ビーム２が受信ビームｂに対応することを発見する。したがって、受信デバイスは、送信ビーム１によって送信されるデータを受信するために受信ビームａを使用し、送信ビーム２によって送信されるデータを受信するために、受信ビームｂを使用すると決定する。
【０１１０】
送信デバイスによって送信されるビームインジケーション情報、および、送信ビームおよび／または受信ビームとトランスポート層との間の対応関係を受信するとき、受信デバイスは、ビームインジケーション情報、および、送信ビームおよび／または受信ビームとトランスポート層との間の対応関係に従って、送信デバイスによって送信されるデータを受信するために使用される少なくとも１つの受信ビーム、および、少なくとも１つの受信ビームによって受信されたトランスポートストリームを決定する。すなわち、受信デバイスは、送信されたデータを受信するために使用される受信ビームを認識するだけでなく、受信ビームによって受信されたトランスポートストリームが属するトランスポート層を認識し得る。
【０１１１】
送信デバイスによって送信されるビームインジケーション情報、および、送信ビームおよび／または受信ビームとトランスポート層との間の対応関係は、物理層インジケーションシグナリングを使用することによって受信される。物理層インジケーションシグナリングにおける配置の形式および識別方式は、上記の実施形態において説明され、ここでは再度説明されない。
【０１１２】
同じ技術的考えに基づいて、図５は、送信デバイスの構造の例を示す。当該構造は、複数のビームを含む無線通信システムに適用可能であり、データを受信デバイスへ送信するために使用される少なくとも１つの送信ビーム、および、ビームインジケーション情報を決定するよう構成される処理ユニット５０１と、ビームインジケーション情報を受信デバイスへ送信するよう、および、少なくとも１つの送信ビームを使用することによってデータを送信するよう構成される送受信ユニット５０２とを備える。
【０１１３】
任意選択的に、ビームインジケーション情報は、データを受信するために使用される各受信ビームを受信デバイスに示す。
【０１１４】
任意選択的に、ビームインジケーション情報は、各送信ビームについての各受信ビームまたは情報についての情報を含む。
【０１１５】
任意選択的に、送受信ユニット５０２は具体的には、ＱＣＬ情報を受信デバイスへ送信するよう構成される。
【０１１６】
任意選択的に、処理ユニット５０１は更に、ビームインジケーション情報を決定した後に、送信ビームおよび／または受信ビームとトランスポート層との間の対応関係を決定するよう構成され、送受信ユニット５０２は、具体的には、ビームインジケーション情報および対応関係を受信デバイスへ送信するよう構成される。
【０１１７】
任意選択的に、処理ユニット５０１は具体的には、送信ビームおよび／または受信ビームとコードワードとの間の対応関係を決定し、コードワードとトランスポート層との間のマッピング関係を決定するよう構成され、送受信ユニット５０２は具体的には、ビームインジケーション情報およびコードワードとトランスポート層との間のマッピング関係を受信デバイスへ送信するよう構成される。
【０１１８】
任意選択的に、送受信ユニット５０２は具体的には、物理層インジケーションシグナリングを使用することによって、ビームインジケーション情報、および、コードワードとトランスポート層との間のマッピング関係を受信デバイスへ送信するよう構成され、コードワードがマッピングされるトランスポート層の数を示すために、指定されたビット数の情報ビットが、物理層インジケーションシグナリングに設定される、または、コードワードおよびトランスポート層のマッピングの組み合わせのインデックス値を示すために、特定の情報ビットが物理層インジケーションシグナリングに設定される。
【０１１９】
任意選択的に、処理ユニット５０１は具体的には、システムのトランスポート層の最大数に基づいて、指定されたビット数を決定する、または、プロトコルにおいて規定される各コードワードのトランスポート層の最大数に基づいて、指定されたビット数を決定するよう構成される。
【０１２０】
同じ技術的考えに基づいて、図６は、受信デバイスの構造の例を示す。当該構造は、複数のビームを含む無線通信システムに適用可能であり、ビームインジケーション情報を送信デバイスから受信するよう構成される送受信ユニット６０１と、ビームインジケーション情報に従って、送信デバイスによって送信されるデータを受信するために使用される少なくとも１つの受信ビームを決定するよう構成される処理ユニット６０２とを備え、送受信ユニット６０１は更に、決定された少なくとも１つの受信ビームを使用することによって、送信デバイスによって送信されるデータを受信するよう構成される。
【０１２１】
任意選択的に、ビームインジケーション情報は、少なくとも１つの受信ビームについての情報を含み、処理ユニット６０２は具体的には、ビームインジケーション情報によって示される少なくとも１つの受信ビームについての情報に基づいて、送信デバイスによって送信されるデータを受信するために使用される少なくとも１つの受信ビームを決定するよう構成される。
【０１２２】
任意選択的に、ビームインジケーション情報は、少なくとも１つの送信ビームについての情報を含み、処理ユニット６０２は具体的には、ビームインジケーション情報によって示される少なくとも１つの送信ビームについての情報、および、送信ビームと受信ビームとの間の対応関係に基づいて、少なくとも１つの送信ビームについての情報に対応する少なくとも１つの受信ビームについての情報を決定し、少なくとも１つの送信ビームについての情報に対応する少なくとも１つの受信ビームについての情報に基づいて、送信デバイスによって送信されるデータを受信するために使用される少なくとも１つの受信ビームを決定するよう構成される。
【０１２３】
任意選択的に、送受信ユニット６０１は具体的には、ＱＣＬ情報を送信デバイスから受信し、処理ユニット６０２を使用することによって、ＱＣＬ情報とビームインジケーション情報との間の対応関係に基づいてビームインジケーション情報を決定するよう構成される。
【０１２４】
任意選択的に、送受信ユニット６０１は具体的には、ビームインジケーション情報、ならびに、送信ビームおよび／または受信ビームとトランスポート層との間の対応関係を送信デバイスから受信するよう構成され、処理ユニット６０２は具体的には、ビームインジケーション情報、ならびに、送信ビームおよび／または受信ビームとトランスポート層との間の対応関係に従って、送信デバイスによって送信されるデータを受信するために使用される少なくとも１つの受信ビーム、および、少なくとも１つの受信ビームによって受信される必要があるトランスポートストリームを決定するよう構成される。
【０１２５】
任意選択的に、送受信ユニット６０１は具体的には、ビームインジケーション情報、および、コードワードとトランスポート層との間のマッピング関係を送信デバイスから受信するよう構成され、処理ユニット６０２は具体的には、ビームインジケーション情報、および、コードワードとトランスポート層との間のマッピング関係に従って、送信デバイスによって送信されるデータを受信するために使用される少なくとも１つの受信ビーム、および、少なくとも１つの受信ビームによって受信される必要があるトランスポートストリームを決定するよう構成される。
【０１２６】
任意選択的に、送受信ユニット６０１は具体的には、物理層インジケーションシグナリングを使用することによって、ビームインジケーション情報、および、コードワードとトランスポート層との間のマッピング関係を送信デバイスから受信するよう構成され、コードワードがマッピングされるトランスポート層の数を示すために、指定されたビット数の情報ビットが物理層インジケーションシグナリングに設定される、または、コードワードおよびトランスポート層のマッピングの組み合わせのインデックス値を示すために、特定の情報ビットが物理層インジケーションシグナリングに設定される。
【０１２７】
任意選択的に、処理ユニット６０２は更に、システムのトランスポート層の最大数、および、指定されたビット数の情報ビットに基づいて、コードワードがマッピングされるトランスポート層の数を決定する、または、指定されたビット数の情報ビットに基づいて、プロトコルにおいて規定される各コードワードのトランスポート層の最大数を決定する、または、特定の情報ビットに基づいて、コードワードおよびトランスポート層のマッピングの組み合わせのインデックス値を決定するよう構成される。
【０１２８】
同じ考えに基づいて、図７は、本願に係る送信デバイス７００を示す。送信デバイス７００は、上記の実施形態における送信デバイスによって実行される段階または機能を実行できる。送信デバイス７００は、送受信機７０１、プロセッサ７０２およびメモリ７０３を備え得る。プロセッサ７０２は、送信デバイス７００のオペレーションを制御するよう構成される。メモリ７０３は、リードオンリメモリおよびランダムアクセスメモリを含み得て、プロセッサ７０２によって実行されることができる命令およびデータを記憶する。送受信機７０１、プロセッサ７０２およびメモリ７０３などの様々なコンポーネントは、バス７０９を使用することによって接続される。データバスに加えて、バス７０９は、電力供給バス、制御バスおよびステータス信号バスを含み得る。しかしながら、説明を明確にするために、図における様々なタイプのバスが、バス７０９として示されている。当然、別の方式において、送受信機７０１およびメモリ７０３はまた、プロセッサ７０２に接続され得る。送受信機７０１は、送信機および受信機を含み得る。
【０１２９】
本願において開示されるデータ伝送方法は、プロセッサ７０２に適用され得る、または、プロセッサ７０２によって実装され得る。
【０１３０】
プロセッサ７０２は、データ伝送手順を実行するためにメモリ７０３におけるコードを読み出すよう構成される。
【０１３１】
同じ考えに基づいて、図８は、本願に係る受信デバイス８００を示す。受信デバイス８００は、上記の実施形態における受信デバイスによって実行される段階または機能を実行できる。受信デバイス８００は、送受信機８０１、プロセッサ８０２およびメモリ８０３を備え得る。プロセッサ８０２は、受信デバイス８００のオペレーションを制御するよう構成される。メモリ８０３は、リードオンリメモリおよびランダムアクセスメモリを含み得て、プロセッサ８０２によって実行されることができる命令およびデータを記憶する。送受信機８０１、プロセッサ８０２およびメモリ８０３などの様々なコンポーネントは、バス８０９を使用することによって接続される。データバスに加えて、バス８０９は、電力供給バス、制御バスおよびステータス信号バスを含み得る。しかしながら、説明を明確にするために、図における様々なタイプのバスが、バス８０９として示されている。当然、別の方式において、送受信機８０１およびメモリ８０３はまた、プロセッサ８０２に接続され得る。送受信機８０１は、送受信機であり得て、送信機および受信機を含み得る。
【０１３２】
本願において開示されるデータ伝送方法は、プロセッサ８０２に適用され得る、または、プロセッサ８０２によって実装され得る。
【０１３３】
プロセッサ８０２は、データ伝送手順を実行するためにメモリ８０３におけるコードを読み出すよう構成される。
【０１３４】
当業者は、本発明の実施形態が、方法またはコンピュータプログラム製品として提供されてよいことを理解するはずである。したがって、本発明は、ハードウェアだけの実施形態、ソフトウェアだけの実施形態、または、ソフトウェアとハードウェアとの組み合わせによる実施形態の形態で使用されてよい。更に、本発明は、コンピュータが使えるプログラムコードを含む、コンピュータが使える１または複数の記憶媒体（ディスクメモリ、ＣＤ‐ＲＯＭ、光学メモリまたは同様のものを含むが、これらに限定されない）において実装されるコンピュータプログラム製品の形態を使用し得る。
【０１３５】
本発明は、本発明の実施形態に係る方法、デバイス（システム）、およびコンピュータプログラム製品のフローチャートおよび／またはブロック図を参照して説明されている。フローチャートおよび／またはブロック図の各プロセスおよび／または各ブロックと、フローチャートおよび／またはブロック図のプロセスおよび／またはブロックの組み合わせとを実装するために、コンピュータプログラム命令が使用されてよいことを理解されたい。これらのコンピュータプログラム命令は、汎用コンピュータ、専用コンピュータ、組み込み型プロセッサ、または機械を生成するための任意の他のプログラム可能データ処理デバイスのプロセッサに提供されて、コンピュータまたは任意の他のプログラム可能データ処理デバイスのプロセッサによって実行される複数の命令が、複数のフローチャートの１または複数のプロセスにおける、および／または複数のブロック図の１または複数のブロックにおける機能を実装するための機器を生成するようにし得る。
【０１３６】
これらのコンピュータプログラム命令はまた、コンピュータまたは任意の他のプログラム可能データ処理デバイスに命令して特定の方式で機能させるようにし得るコンピュータ可読メモリに記憶され得て、その結果、コンピュータ可読メモリに記憶されるそれらの命令は、命令機器を含むアーチファクトを生成する。命令機器は、複数のフローチャートの１または複数のプロセスにおける、および／または、複数のブロック図の１または複数のブロックにおける機能を実装する。
【０１３７】
これらのコンピュータプログラム命令はまた、コンピュータまたは別のプログラム可能データ処理デバイス上にロードされて、その結果、一連のオペレーションおよび段階がコンピュータまたは別のプログラム可能デバイス上で実行されるようにし得て、それにより、コンピュータにより実装される処理を生成する。したがって、コンピュータまたは別のプログラム可能デバイス上で実行されるそれらの命令は、複数のフローチャートの１または複数のプロセスにおける、および／または、複数のブロック図の１または複数のブロックにおける機能を実装するための複数の段階を提供する。
【０１３８】
本発明のいくつかの実施形態が説明されたが、当業者であれば、基本的な発明の概念を一度認識すれば、これらの実施形態に変更および変形を加えることが可能である。したがって、以下の特許請求の範囲は、実施形態と、本発明の範囲に含まれる全ての変更および修正とを網羅するものとして解釈されることが意図されている。
【０１３９】
当業者であれば、本発明の主旨および範囲から逸脱することなく、本発明に対する様々な修正および変形を加えることができることが明らかである。本発明は、特許請求の範囲によって定義される保護の範囲内、および、本発明の同等技術の範囲内に含まれる限り、これらの修正および変形、を包含することを意図している。
【国際調査報告】
2020503772.tif 000015
2020503772.tif 000016
2020503772.tif 000017
2020503772.tif 000018